(57)【要約】  【課題】静電式インクジェット記録において、安定して高画質な画像を記録することが可能で、かつ、安価なインクジェット記録装置およびインクジェット記録方法を提供すること。  【解決手段】画像が記録される記録媒体を載置する絶縁性載置部を有し、該絶縁性載置部上に載置された記録媒体を搬送する搬送手段と、搬送手段と対向する位置に配設され、画像信号に応じてインクに静電力を作用させてインク液滴を記録媒体に吐出する吐出部を有するインクジェットヘッドと、記録媒体およびインクジェットヘッドが画像記録可能な位置へ相対移動される直前に、記録媒体への画像記録中のインク液滴非吐出時に吐出部に形成される電界強度よりも強い電界強度を前記吐出部へ与える強電界発生手段とを有することを特徴とする。【選択図】図６
2006103230.tif 000002
【特許請求の範囲】
【請求項１】
画像が記録される記録媒体を載置する絶縁性載置部を有し、該絶縁性載置部上に載置された前記記録媒体を搬送する搬送手段と、
前記搬送手段と対向する位置に配設され、画像信号に応じてインクに静電力を作用させてインク液滴を前記記録媒体に吐出する吐出部を有するインクジェットヘッドと、
前記記録媒体および前記インクジェットヘッドが画像記録可能な位置へ相対移動される直前に、前記記録媒体への画像記録中のインク液滴非吐出時に前記吐出部に形成される電界強度よりも強い電界強度を前記吐出部へ与える強電界発生手段とを有することを特徴とするインクジェット記録装置。
【請求項２】
前記強電界形成手段は、前記記録媒体が前記インクジェットヘッドにより画像記録可能な位置へ搬送手段によって搬送される直前に、強い電界強度を前記吐出部へ与えるものであることを特徴とする請求項１に記載のインクジェット記録装置。
【請求項３】
前記インクジェットヘッドは、前記記録媒体に対し少なくとも１方向に走査可能なものであり、
前記強電界発生手段は、前記インクジェットヘッドが前記記録媒体に対し画像記録可能な位置へ走査される直前に、強い電界強度を前記吐出部へ与えるものであることを特徴とする請求項１または２に記載のインクジェット記録装置。
【請求項４】
前記搬送手段は、前記記録媒体を止着する搬送ベルトを有し、
前記強電界発生手段は、前記記録媒体および前記搬送ベルトの少なくとも一方を帯電させ、前記記録媒体と前記搬送ベルトとを静電吸着させる帯電手段と前記帯電手段を制御する帯電手段制御部とを有し、
前記帯電手段制御部は、前記搬送ベルトの前記記録媒体の止着位置よりも搬送方向上流側の少なくとも一部を、前記記録媒体よりも高い電位に帯電させる制御をする請求項１〜３のいずれかに記載のインクジェット記録装置。
【請求項５】
前記搬送手段は、前記記録媒体との接触面を構成する絶縁層と、前記絶縁層の前記記録媒体との接触面と逆側の面に設けられた導電層とを備える搬送ベルトを有する請求項１〜４のいずれかに記載のインクジェット記録装置。
【請求項６】
前記強電界発生手段は、前記導電層に印加される電圧を制御する電圧制御部を有し、
前記電圧制御部は、前記記録媒体および前記インクジェットヘッドが画像記録可能な位置へ相対移動される直前に、前記導電層に所定電圧を印加すること請求項５に記載のインクジェット記録装置。
【請求項７】
前記搬送手段は、絶縁性部材で形成された搬送ベルトを有し、
前記強電界発生手段は、前記搬送ベルトの前記インクジェットヘッドと対向する位置の前記インクジェットヘッド側とは反対側の面に、前記搬送ベルトと接触して配置された導電性板状部材と、前記導電性板状部材に印加される電圧を制御する電圧制御部とを有し、
前記電圧制御部は、前記記録媒体および前記インクジェットヘッドが画像記録可能な位置へ相対移動される直前に、前記導電性板状部材に、所定電圧を印加させる請求項１〜４のいずれかに記載のインクジェット記録装置。
【請求項８】
前記インクジェットヘッドは、インク液滴を吐出させる吐出口と、
前記吐出口を通過して、その先端部分が前記吐出口の開口面よりも記録媒体側に突出するインクガイドとを有する請求項１〜７のいずれかに記載のインクジェット記録装置。
【請求項９】
前記インクジェットヘッドは、前記吐出口が開口された吐出口基板と、
前記吐出口基板と所定間隔離間して配置され、前記吐出口基板との間にインク流路を形成し、前記吐出口基板側の表面の前記吐出口の配置に対向する位置に前記インクガイドが形成されたヘッド基板と、
前記吐出口基板の前記吐出口周りに配置され、前記吐出口からのインク液滴の吐出を制御する吐出電極とを有する請求項８に記載のインクジェット記録装置。
【請求項１０】
搬送手段によりインクジェットヘッドに対向する位置に搬送された記録媒体に、前記インクジェットヘッドが画像信号に応じてインクに静電力を作用させて吐出部から前記記録媒体にインク液滴を吐出させることにより前記記録媒体に画像を記録するインクジェット記録方法であって、
前記記録媒体および前記インクジェットヘッドが画像記録可能な位置へ相対移動される直前に、前記記録媒体への画像記録中のインク液滴非吐出時に前記吐出部に形成される電界強度よりも強い電界強度を前記吐出部に与えることを特徴とするインクジェット記録方法。
【請求項１１】
前記記録媒体が前記インクジェットヘッドに対向する位置に搬送される前に、瞬間的に、前記吐出部に前記強い電界強度を与える請求項１０に記載のインクジェット記録方法。
【請求項１２】
前記搬送手段の前記記録媒体の止着位置よりも搬送方向上流側を前記記録媒体よりも高電位に帯電させ、前記吐出部に前記強い電界強度を与える請求項１０または１１に記載のインクジェット記録方法。
【請求項１３】
前記搬送手段に所定電圧を印加し、前記吐出部に前記強い電界強度を与える請求項１０〜１２のいずれかに記載のインクジェット記録方法。
【請求項１４】
前記インクジェットヘッドは、インク液滴を吐出させる吐出口と、
前記吐出口を通過して、その先端部分が前記吐出口の開口面よりも記録媒体側に突出するインクガイドとを有する請求項１０〜１３のいずれかに記載のインクジェット記録方法。
【発明の詳細な説明】
【技術分野】
【０００１】
本発明は、静電式インクジェット記録方式の分野に属し、より詳しくは、静電力によりインクを吐出させて記録媒体に記録を行うインクジェット記録装置およびインクジェット記録方法に関する。
【背景技術】
【０００２】
静電式インクジェット記録方式は、画像信号に応じてインクに静電力を作用させてインク液滴を吐出させて記録媒体に画像を形成する方式であり、ヘッド構造が簡易でマルチチャンネル化しやすい、微液滴形成が可能であり、高解像力描画が可能であるという特徴を有する。このような静電式インクジェット記録方式としては、例えば、特許文献１にインク流路内での荷電粒子を電気泳動させて開口付近のインク濃度を増加させ、吐出を行うインクジェット記録方法に関し、主に記録媒体または記録媒体背面に配置された対向電極に起因する静電吸引力によりインク滴の吐出を行うインクジェットヘッドを有するインクジェット記録装置が開示されている。
【０００３】
図１３は、特許文献１に開示されたマルチチャンネルインクジェットヘッドの構成を示す概略構成図で、記録ドットに対応した吐出電極の断面を示している。同図において油性インクＱはポンプを含む循環機構２１１から、ヘッドブロック２０１に接続されたインク供給流路２１２を通して、ヘッド基板２０２と吐出電極基板２０３間に供給され、同じくヘッドブロック２０１に形成されたインク回収流路２１３を通してインク循環機構２１１に回収される。この吐出電極基板２０３は、貫通孔２０７を有する絶縁性基板２０４と、この貫通孔２０７の周囲で記録媒体Ｐ側に形成されている吐出電極２０９とから構成されている。
一方ヘッド基板２０２上には凸状インクガイド２０８が前記貫通孔２０７の略中心位置に配置されている。この凸状インクガイド２０８はプラスチック樹脂、セラミックスなど絶縁性部材からなり、前記貫通孔２０７と中心が等しくなるように同じ列間隔、ピッチで配置され、所定の方法でヘッド基板２０２上に保持されている。各凸状インクガイド２０８は厚みが一定の平板の先端を三角形あるいは台形状に切り出した形状で、その先端部がインク滴飛翔位置２１０となる。このインクガイド２０８と貫通口２０７の内壁面との間にはインクメニスカスが形成される。凸状インクガイド２０８の先端に対向して搬送ベルト２２２上に記録媒体２２１が配置されている。またヘッド基板２０２と吐出電極基板２０３間によって形成される空間の底部には泳動電極２０５が形成されている。
【０００４】
このようなインクジェットヘッドは、記録時には、インク循環機構２１１からインク供給流路２１２を経て供給されたインクＱは貫通孔２０７から凸状インクガイド２０８の先端のインク飛翔位置２１０に供給されると共に、一部はインク回収流路２１３を経てインク循環機構２１１に回収される。ここで、吐出電極２０９には信号電圧源２２３からの画像信号に応じた信号電圧として例えばＯＮ時に＋５００Ｖのパルス電圧が印加される。この際、泳動電極２０５は＋３００Ｖの電圧が印加されている。一方、記録媒体２２１はコロナ帯電手段により電圧−１．７ｋＶに帯電されている。今、吐出電圧２０９がＯＮ状態（５００Ｖが印加された状態）となると、凸状電極２０８先端のインク滴飛翔位置２１０から、インク滴Ｒが飛び出し、該記録媒体Ｐに向けて飛翔して画像を形成する。
【特許文献１】特開２００４−８２６８９号公報
【発明の開示】
【発明が解決しようとする課題】
【０００５】
特許文献１に開示のインクジェット記録装置は、インクの吸収による紙の滲みがなく、記録媒体の制約が少なく、種々の記録媒体に画像を記録することができる。
さらに、着色粒子は高濃度化して吐出され、滲みのない高濃度で鮮明な画像が形成され、インクジェット専用紙のみならず通常のオフセット印刷用紙あるいはプラスチックフィルムに画像形成した場合にも解像力の高い画像を形成することができる。
【０００６】
しかしながら、特許文献１に開示の静電式のインクジェット記録装置は、上記のような優れた特徴を有する反面、吐出履歴により吐出時に吐出口に形成されるインクメニスカス状態が変化し、形成されるドット径が変化してしまう、つまり、インク液滴の吐出特性には吐出周波数依存性（吐出頻度依存性）があり、吐出部毎の吐出頻度によって吐出特性が変化することがあるという問題がある。
このように吐出特性が不安定になると、記録媒体に形成される画像が一定にならず、高画質な画像を形成することができないという問題もある。
このような問題は、吐出履歴により吐出信号を制御することで解決する方法もあるが、このような方法では、ドライバが複雑になり高価になってしまうという問題がある。
【０００７】
そこで、本発明の目的は、上記従来技術の問題点を解決することにあり、静電式インクジェット記録において、安定して高画質な画像を記録することが可能で、かつ、安価なインクジェット記録装置およびインクジェット記録方法を提供することにある。
【課題を解決するための手段】
【０００８】
上記目的を達成するために、本発明の第１の態様は、画像が記録される記録媒体を載置する絶縁性載置部を有し、該絶縁性載置部上に載置された前記記録媒体を搬送する搬送手段と、前記搬送手段と対向する位置に配設され、画像信号に応じてインクに静電力を作用させてインク液滴を前記記録媒体に吐出する吐出部を有するインクジェットヘッドと、
前記記録媒体および前記インクジェットヘッドが画像記録可能な位置へ相対移動される直前に、前記記録媒体への画像記録中のインク液滴非吐出時に前記吐出部に形成される電界強度よりも強い電界強度を前記吐出部へ与える強電界発生手段とを有することを特徴とするインクジェット記録装置を提供する。
ここで、前記強電界形成手段は、前記記録媒体が前記インクジェットヘッドにより画像記録可能な位置へ搬送手段によって搬送される直前に、強い電界強度を前記吐出部へ与えるものであることが好ましい。
また、前記インクジェットヘッドは、前記記録媒体に対し少なくとも１方向に走査可能なものであり、前記強電界発生手段は、前記インクジェットヘッドが前記記録媒体に対し画像記録可能な位置へ走査される直前に、強い電界強度を前記吐出部へ与えるものであることも好ましい。
また、前記強電界発生手段は、前記記録媒体および前記インクジェットヘッドが画像記録可能な位置へ相対移動される直前に、瞬間的に、前記吐出部に強電界を形成するが好ましい。
【０００９】
ここで、前記搬送手段は、前記記録媒体を止着する搬送ベルトを有し、前記強電界発生手段は、前記記録媒体および前記搬送ベルトの少なくとも一方を帯電させ、前記記録媒体と前記搬送ベルトとを静電吸着させる帯電手段と前記帯電手段を制御する帯電手段制御部とを有し、前記帯電手段制御部は、前記搬送ベルトの前記記録媒体の止着位置よりも搬送方向上流側の少なくとも一部を、前記記録媒体よりも高い電位に帯電させる制御をすることが好ましい。
【００１０】
また、前記搬送手段は、前記記録媒体との接触面を構成する絶縁層と、前記絶縁層の前記記録媒体との接触面と逆側の面に設けられた導電層とを備える搬送ベルトを有することが好ましい。
また、前記強電界発生手段は、前記導電層に印加される電圧を制御する電圧制御部を有し、前記電圧制御部は、前記記録媒体および前記インクジェットヘッドが画像記録可能な位置へ相対移動される直前に、前記導電層に所定電圧を印加することが好ましい。
また、前記搬送手段は、絶縁性部材で形成された搬送ベルトを有し、前記強電界発生手段は、前記搬送ベルトの前記インクジェットヘッドと対向する位置の前記インクジェットヘッド側とは反対側の面に、前記搬送ベルトと接触して配置された導電性板状部材と、前記導電性板状部材に印加される電圧を制御する電圧制御部とを有し、前記電圧制御部は、前記記録媒体および前記インクジェットヘッドが画像記録可能な位置へ相対移動される直前に、前記導電性板状部材に、所定電圧を印加させることが好ましい。
【００１１】
また、前記インクジェットヘッドは、インク液滴を吐出させる吐出口と、前記吐出口を通過して、その先端部分が前記吐出口の開口面よりも記録媒体側に突出するインクガイドとを有することが好ましい。
さらに、前記インクジェットヘッドは、前記吐出口が開口された吐出口基板と、前記吐出口基板と所定間隔離間して配置され、前記吐出口基板との間にインク流路を形成し、前記吐出口基板側の表面の前記吐出口の配置に対向する位置に前記インクガイドが形成されたヘッド基板と、前記吐出口基板の前記吐出口周りに配置され、前記吐出口からのインク液滴の吐出を制御する吐出電極とを有することが好ましい。
【００１２】
上記目的を達成するために、本発明の第２の態様は、搬送手段によりインクジェットヘッドに対向する位置に搬送された記録媒体に、前記インクジェットヘッドが画像信号に応じてインクに静電力を作用させて吐出部から前記記録媒体にインク液滴を吐出させることにより前記記録媒体に画像を記録するインクジェット記録方法であって、前記記録媒体および前記インクジェットヘッドが画像記録可能な位置へ相対移動される直前に、前記記録媒体への画像記録中のインク液滴非吐出時に前記吐出部に形成される電界強度よりも強い電界強度を前記吐出部に与えることを特徴とするインクジェット記録方法を提供する。
また、前記記録媒体が前記インクジェットヘッドに対向する位置に搬送される前に、瞬間的に、前記吐出部に前記強い電界強度を与えることが好ましい。
【００１３】
また、前記搬送手段の前記記録媒体の止着位置よりも搬送方向上流側を前記記録媒体よりも高電位に帯電させ、前記吐出部に前記強い電界強度を与えることが好ましい。
また、前記搬送手段に所定電圧を印加し、前記吐出部に前記強い電界強度を与えることが好ましい。
さらに、前記インクジェットヘッドは、インク液滴を吐出させる吐出口と、前記吐出口を通過して、その先端部分が前記吐出口の開口面よりも記録媒体側に突出するインクガイドとを有することが好ましい。
【発明の効果】
【００１４】
本発明によれば、前記記録媒体および前記インクジェットヘッドが画像記録可能な位置へ相対移動される直前に、前記記録媒体への画像記録中のインク液滴非吐出時に前記吐出部に形成される電界強度よりも強い電界強度を前記吐出部へ与えることで、記録媒体に画像の記録を開始する直前の各吐出部の状態を吐出履歴に関わらず一定にすることができ、吐出特性を一定にすることができる。これにより、描画の安定性を高くすることができ、高画質な画像を安定して形成できる。
また、吐出信号の制御を行うことなく吐出特性を一定にすることができるので、簡単なドライバでインク液滴の吐出を安定して制御することができ、安価なインクジェット記録装置を提供することができる。
【発明を実施するための最良の形態】
【００１５】
以下に、本発明に係るインクジェット記録装置を、添付の図面に示される好適実施形態に基づいて詳細に説明する。
【００１６】
図１に、本発明の第２の態様のインクジェット記録方法を実施する第１の態様のインクジェット記録装置の一例を概念的に示す。
図１に示したインクジェット記録装置（以下、記録装置１０という）１０は、色材を含む帯電した微粒子（以下、色材粒子とする）を絶縁性のキャリア液（分散媒）に分散してなるインクＱを用い、このインクに静電力を作用させることによりインク液滴を吐出し、記録媒体Ｐに画像を記録する画像記録装置である。記録装置１０は、基本的に、記録媒体Ｐをその表面に止着する移動可能な搬送ベルト２０と搬送ベルト２０を駆動させるベルトローラ２２、２４とを有する所定の経路で記録媒体Ｐを搬送する搬送手段１２と、記録媒体Ｐおよび搬送ベルト２０の少なくとも一方を所定電位に帯電させる帯電手段１４および帯電手段１４への印加電圧を制御する電圧制御部１５を備える強電界発生手段１３と、インクに静電力を作用させてインク液滴を吐出させる吐出ヘッド（インクジェットヘッド）１６とを有する。
【００１７】
なお、図１は、本発明の特徴的な部位を主に示しているが、本発明の記録装置１０は、図に示した搬送手段１２、強電界発生手段１３、吐出ヘッド１６以外にも、例えば、吐出ヘッド１６を駆動してインク液滴を吐出させるドライバ、帯電した記録媒体Ｐおよび搬送ベルト２０を除電する除電手段、吐出ヘッド１６へのインクの供給および吐出ヘッド１６で使用されたインクの回収等を行う循環手段、搬送される記録媒体Ｐを検出するセンサ、装置内に滞留するキャリア液等を回収する溶媒回収手段など、公知の静電式のインクジェット記録装置が有する各種の構成要素を有しているのは、もちろんのことである。
【００１８】
また、本発明のインクジェット記録装置は、Ｋ（黒）のみなどの１色の画像記録を行うモノクロの記録装置であってもよく、また、Ｙ（イエロー）、Ｍ（マゼンダ）、Ｃ（シアン）、およびＫの４色のインクを用いて、記録媒体にフルカラー画像を記録する記録装置であってもよい。
【００１９】
ここで、本発明のインクジェット記録装置に用いられる記録媒体Ｐとしては、通常記録媒体として用いられる印刷用紙である上質紙、微コート紙、コート紙が挙げられる。また、表面に樹脂フィルム層を有する、例えばポリオリフィンラミネート紙、およびプラスチックフィルム、例えばポリエステルフィルム、塩化ビニルフィルム、ポリオレフィンフィルム等も使用できる。さらに、表面に金属が蒸着されたり、又は金属箔が張り合わされたプラスチックフィルム、加工紙、印刷用刷版等も使用できる。勿論、インクジェット用の専用紙、専用フィルムも使用できる。
【００２０】
図１に示すように、搬送手段１２は、搬送ベルト２０とベルトローラ２２、２４とを有する。
搬送ベルト２０は、記録媒体Ｐをその表面に載置させ、所定方向に搬送させるものである。搬送ベルト２０は、リング状のエンドレスベルトであり、ベルトローラ２２、２４によって張架されている。搬送ベルト２０は、絶縁層３０および導電層３２から構成されており、絶縁層３０は記録媒体Ｐと接触する側の面（表面）に設けられ、導電層３２は、絶縁層３０の記録媒体Ｐと接触する側の面と逆側の面、つまりベルトローラ２２、２４と接触する面（裏面）に設けられている。
【００２１】
絶縁層３０は、絶縁性を有する材料、例えばポリイミド樹脂、または、フッ素樹脂で構成される。なお、フッ素樹脂としては、４フッ化エチレン樹脂（ＰＴＦＥ）、４フッ化エチレン・パーフルオロアルコキシエチレン共重合樹脂（ＰＦＡ）、４フッ化エチレン・６フッ化プロピレン共重合樹脂（ＦＥＰ）、４フッ化エチレン・エチレン共重合樹脂（ＥＴＦＥ）、３フッ化塩化エチレン樹脂（ＰＣＴＦＥ）、３フッ化塩化エチレン・エチレン共重合樹脂（ＥＣＴＦＥ）、フッ化ビニリデン樹脂（ＰＶＤＦ）、フッ化ビニル樹脂（ＰＶＦ）が例示される。
ここで、絶縁層３０は、固有体積抵抗率を１０14Ω・ｃｍ以上、かつ固有表面抵抗を１０15Ω以上とすることが好ましい。固有抵抗値および固有表面抵抗値を上記範囲とすることで、搬送ベルトの表面が高絶縁性となり、後述する帯電手段１４により帯電された帯電電位の局所的変化が可能となる。
また、絶縁層３０の厚みは、１０μｍ〜５００μｍとするのが好ましく、絶縁層の表面粗さは、平均表面粗さＲａ≦２０μｍであることが好ましい。絶縁層の厚みおよび表面粗さを上記範囲とすることで、優れた電荷保持性と耐久性を得ることができる。
【００２２】
導電層３２は、導電性を有する材料、例えば柔軟性金属、具体的にはステンレス薄膜等で構成される。
導電層３２の厚みは、１０μｍ〜２００μｍとすることが好ましい。導電層の厚みを上記範囲とすることで、搬送ベルトを優れた電荷保持性と耐久性を得ることができる。
搬送ベルト２０の作成方法は特に限定されず、金属層上に上記樹脂をコーティングすることで形成する方法、接着剤等で樹脂シートを張り合わせる方法、または、絶縁層の裏面に蒸着等により金属層を設ける方法等により作成することができる。
【００２３】
ベルトローラ２２、２４のうち少なくとも１つは、図示していない駆動源に接続されており、記録時には、所定の速度で回転駆動される。これにより、搬送ベルト２０を図中時計回りに回転させる。
また、ベルトローラ２２は接地されている。これにより、ベルトローラ２２と接している導電層３２の電位は基準電位０Ｖに保持される。
【００２４】
強電界発生手段１３は、記録媒体Ｐおよび搬送ベルト２０の絶縁層３０に所定電位を帯電させる帯電手段１４と、帯電手段１４に印加する電圧を制御する電圧制御部１５とを有する。
帯電手段１４は、搬送ベルト２０の絶縁層３０側の面、つまり記録媒体Ｐが載置される面と対向して配置され、スコロトロン帯電器４０と、高圧電源４２とを有する。スコロトロン帯電器４０は、搬送ベルト２０の絶縁層３０側の面に対向する位置に配置されている。また、スコロトロン帯電器４０は、高圧電源４２の負側の端子に接続されており、高圧電源４２の正側の端子は接地されている。
【００２５】
帯電手段１４は、高圧電源４２に接続されたスコロトロン帯電器４０により、記録媒体Ｐおよび／または搬送ベルト２０の絶縁層３２の表面を所定の電位に帯電させる（本実施例では負の高電位）。ここで、上述のように搬送ベルトの導電層３２の電位は基準電位に保持されている。これにより、記録媒体Ｐおよび絶縁層３０に帯電された電位は安定する。
本実施形態では、帯電手段としてスコロトロン帯電器を用いたが、本発明はこれに限定されず、コロトロン帯電器、固体チャージャ、放電針などの種々の帯電手段を用いることができる。
【００２６】
電圧制御部１５は、スコロトロン帯電器４０と接続されており、スコロトロン帯電器４０のグリット電圧を制御する。本発明では、電圧制御部１５によりグリット電圧を制御し、記録媒体Ｐおよび搬送ベルト２０に帯電させる電圧を制御する。
強電界発生手段１３による記録媒体Ｐおよび搬送ベルト２０に帯電させる電圧の制御については、後ほど、詳細に説明する。
【００２７】
吐出ヘッド１６は、画像信号に応じてインク液滴を吐出させ、記録媒体Ｐに画像を形成するものであり、帯電手段よりも記録媒体Ｐの搬送方向下流側（図１中右側）の搬送ベルト２０に対向する位置に配置される。
【００２８】
図２（Ａ）に、吐出ヘッドの概略構成の断面を模式的に示し、図２（Ｂ）に、図２（Ａ）のIIＢ−IIＢ線矢視図を示す。図２（Ａ）に示すように、吐出ヘッド１６は、ヘッド基板７２と、インクガイド７４と、吐出口８２が形成された吐出口基板７６とを有する。吐出口基板７６には、吐出口８２を囲むように吐出電極７８が配置されている。
また、ヘッド基板７２と吐出口基板７６は、互いに対面した状態で所定間隔離間して配置される。ヘッド基板７２と吐出口基板７６の間に形成される空間によって各吐出口８２にインクを供給するインク流路８４が形成される。
【００２９】
吐出ヘッド１６は、より高密度な画像記録を高速に行うために、複数の吐出口８２（ノズル）が二次元的に配列されたマルチチャンネル構造を有する。図３に、吐出ヘッド１６の吐出口基板７６に複数の吐出口８２が二次元的に配列されている様子を模式的に示した。なお、図２（Ａ）及び図２（Ｂ）においては、インクジェットヘッドの構成を分かりやすく示すために、複数の吐出口のうちの１つの吐出口だけを示している。
【００３０】
本実施形態の吐出ヘッド１６において、吐出口８２の個数や、その物理的な配置位置等は自由に選択することができる。例えば、図３に示すようなマルチチャンネル構造のみならず、吐出口の列を１列のみ有するものであってもよい。また、記録媒体Ｐの全域に対応する吐出口の列を有するいわゆる（フル）ラインヘッドでもよく、あるいは、ノズル列の方向と直交する方向に走査されるいわゆるシリアルヘッド（シャトルタイプ）であってもよい。また、本発明のインクジェットヘッドは、モノクロおよびカラーのどちらの記録装置にも対応可能である。
【００３１】
なお、図３は、マルチチャンネル構造の一部分（３行３列）の吐出口の配列を示しており、好ましい態様として、インク流方向において、下流側の列の吐出口８２が上流側の列の吐出口に対してインク流に垂直な方向に所定ピッチずつずれて配置されている。このように、下流側の列の吐出口を上流側の列の吐出口に対してインク流方向に垂直な方向にずらして配置することにより、吐出口にインクを良好に供給することができる。本発明のインクジェットヘッドにおいては、下流側の列の吐出口が上流側の列の吐出口に対してインク流方向に垂直な方向にずらされて配置されたｎ行ｍ列（ｎ、ｍは正の整数）の吐出口が、インク流方向に一定の周期で繰り返し続くように構成されていてもよいし、それぞれの吐出口が、上流側に位置する吐出口に対してインク流に垂直な一方向（図３において下方向又は上方向）に連続的にずれて配置されていてもよい。吐出口の個数やピッチ、繰り返し周期等は、解像度や送りピッチに応じて適宜設定することができる。
また、図３では、好ましい態様として、インク流方向において、下流側の列の吐出口を上流側の列の吐出口に対してインク流に垂直な方向にずらして配置したが、これに限定されず、下流側の吐出口と上流側の吐出口が、インク流方向において同一直線上に配置されていてもよい。この場合は、各行のそれぞれの吐出口を、インク流に垂直な方向において隣に位置する行のそれぞれの吐出口に対して、インク流方向にずらして配置させることが好ましい。
【００３２】
このような吐出ヘッド１６においては、顔料等の色材を含み、かつ、電荷を有する微粒子（以下、色材粒子とする）を絶縁性の液体（キャリア液）に分散してなるインクＱを用いる。そして、吐出口基板７６に設けられた吐出電極７８に駆動電圧を印加して吐出口８２に電界を発生させ、吐出口８２のインクを静電力により吐出させる。また、吐出電極７８に印加する駆動電圧を、画像データに応じてｏｎ／ｏｆｆ（吐出ｏｎ／ｏｆｆ）することにより、画像データに応じて吐出口８２からインク液滴を吐出して、記録媒体Ｐ上に画像を記録する。
【００３３】
以下、図２（Ａ）及び（Ｂ）に示した本発明の吐出ヘッド１６の構造についてより詳細に説明する。
【００３４】
図２（Ａ）に示すように、吐出ヘッド１６の吐出口基板７６は、絶縁基板８６と、ガード電極８０と、吐出電極７８と、絶縁層８８とを有する。絶縁基板８６の図中上側の面（ヘッド基板７２に対面する側と反対の面）に、ガード電極８０と絶縁層８８とが順に積層されている。また、絶縁基板８６の図中下側の面（ヘッド基板７２に対面する側の面）には、吐出電極７８が形成されている。
【００３５】
また、吐出口基板７６には、インク液滴Ｒを吐出するための吐出口８２が絶縁基板８６を貫通して形成されている。吐出口８２は、図２（Ｂ）に示すように、長方形の両方の短辺側を半円形にした、インク流方向に細長い繭形の開口（スリット）であり、インク流方向の長さＬとインク流れに直交する方向の長さＤとのアスペクト比（Ｌ／Ｄ）が１以上となる形状を有する。
本実施形態では、このように、吐出口８２をインク流方向の長さＬとインク流れに直交する方向の長さＤとのアスペクト比（Ｌ／Ｄ）が１以上の開口（インク流方向を長辺とする形状異方性を有する形状、インク流方向を長辺とする長穴形状）とすることで、吐出口８２にインクが流れやすくなる。つまり吐出口８２へのインクの粒子供給性を高めることができ、周波数応答性を向上させ、さらに目詰まりも防止することができる。この点については、インク液滴の吐出の作用とともに、後ほど詳細に説明する。
【００３６】
本実施形態では、吐出口８２を細長い繭形の開口として形成したが、これに限らず、吐出口８２からインクを吐出することができ、インク流方向の長さとインク流れに直交する方向の長さとのアスペクト比が１以上となる形状であれば、略円形、楕円形、長方形、ひし形、平行四辺形など任意の形状にすることができる。例えば、インク流方向を長辺とする矩形状、又は、インク流方向を長軸とする楕円形若しくはひし形にすることができる。また、インク流の上流側を上底、下流側を下底とし、インク流方向の高さが下底よりも長い台形状にしてもよい。この場合、上流側の辺を長くしても下流側の辺を長くしてもよい。また、インク流方向を長辺とする長方形の両方の短辺側に、直径がその長方形の短辺よりも大きな円が接続されたような形状にしてもよい。また、吐出口８２は、その中心に対して、上流側と下流側で対称な形状であっても非対称な形状であっても良い。例えば、矩形状の吐出口の上流側と下流側の少なくとも一方の端部を半円状にして吐出口を形成してもよい。
【００３７】
吐出ヘッド１６のインクガイド７４は、所定の厚みを有するセラミック製平板からなり、各吐出口８２（吐出部）に対応してヘッド基板７２の上に配置されている。インクガイド７４は、繭形の吐出口８２の長辺方向の長さに応じて幅広に形成されている。上述したように、インクガイド７４は、吐出口８２を通過し、その先端部分７４ａが吐出口基板７６の記録媒体Ｐ側の表面（絶縁層８８の表面）よりも上方に突出している。
【００３８】
インクガイド７４の先端部分７４ａは、記録媒体Ｐ（搬送ベルト２０）側へ向かうに従って次第に細く略三角形（ないしは台形）に成形されている。インクガイド７４は、先端部分７４ａの傾斜面がインク流方向と交差するように配置される。これにより、吐出口８２に流入するインクがインクガイド７４の先端部分７４ａの傾斜面に沿って先端部分７４ａの頂点に到達するので、吐出口８２にインクのメニスカスが安定して形成される。
また、インクガイド７４を吐出口８２の長辺方向に幅広に形成することで、インク流れに直交する方向の幅を短くすることができ、インクの流れに及ぼす影響を少なくすることができ、かつ後述するメニスカスを安定して形成させることができる。
【００３９】
なお、インクガイド７４の形状は、インクＱ内の色材粒子を吐出口基板７６の吐出口８２を通って先端部分７４ａに濃縮させることができれば、特に、制限的ではなく、例えば、先端部分７４ａが記録媒体Ｐ側に向かうに従って細くなるような形状でなくても良く、適宜変更することができる。例えば、インクガイド７４の中央部分に、図中上下方向に毛細管現象によってインクＱを先端部分７４ａに集めるインク案内溝となる切り欠きが形成されていても良い。
また、インクガイド７４の最先端部に、金属が蒸着されていることが好ましい。インクガイド７４の最先端部に金属を蒸着させることにより、インクガイド７４の先端部分７４ａの誘電率が実質的に大きくなる。これにより、強電界を生じさせ易くなり、インクの吐出性を向上することができる。
【００４０】
図２（Ｂ）に示すように、絶縁基板８６の下面（ヘッド基板７２と対向する面）には、吐出電極７８が形成されている。吐出電極７８は、矩形状の吐出口８２の周囲を囲むように、吐出口８２の周縁に沿って、インク流上流側の一辺が切り欠いたコの字状に配置されている。吐出電極７８を、インク流方向の上流側が一部欠けている形状とすることで、インク流方向の上流側から吐出口への色材粒子の流入を妨げる電界が形成されず、効率よく色材粒子を吐出口へ供給させることができる。また、インク下流側に吐出電極７８を配置することで、吐出口へ流入した色材粒子を吐出口に留める方向の電界が形成される。以上より、吐出電極をインク流方向の上流側が一部欠けている形状とすることで、吐出口への粒子供給性をより向上させることができる。
また、本実施形態では、上記効果を得ることができる点から、吐出電極７８はコの字状で形成されているが、インクガイドに臨むように配置される電極であれば、どのような形状でもよく、例えば、リング状の円形電極、楕円形電極、分割円形電極、平行電極、略平行電極等、吐出口８２の形状に応じて種々の形状に変更することができる。
【００４１】
前述のように、吐出ヘッド１６は、吐出口８２を２次元的に配列したマルチチャンネル構造を有するので、図３に模式的に示すように、吐出電極７８は、各吐出口８２に対応して２次元的に配置されている。
また、吐出電極７８は、インク流路８４に露出し、インク流路８４を流れるインクＱと接触している。これにより、インク液滴の吐出性を大幅に向上させることができる。この点については、後に、吐出の作用と共に詳述する。しかしながら、吐出電極７８は、必ずしもインク流路８４に露出してインクと接触している必要はない。すなわち、吐出電極７８は吐出口基板７６の内部に形成されていてもよいし、吐出電極７８の露出面が薄い絶縁層などにより被覆されていてもよい。
【００４２】
吐出電極７８は、図に示すように、制御部９２に接続されている。制御部９２は、インク吐出時及び非吐出時に吐出電極７８に印加する電圧を制御することができる。
【００４３】
ガード電極８０は、絶縁基板８６の表面上に形成されており、ガード電極８０の表面は絶縁層８８によって覆われている。図４に、ガード電極８０の平面構造を模式的に示した。図４は、図２（Ａ）のIV−IV線矢視図であり、マルチチャンネル構造のインクジェットヘッドの場合のガード電極８０の平面構造を模式的に示している。図４に示すように、ガード電極８０は、金属板などの各吐出電極に共通なシート状の電極であり、２次元的に配列されている各吐出口８２の周囲に形成された吐出電極７８に対応する位置に開口部９０を有する。開口部９０は、矩形状に形成されている。ガード電極８０の開口部９０の長さ及び幅は、吐出口の長さ及び幅よりも大きく形成されている。
ガード電極８０は、隣接する吐出電極７８間における電気力線を遮蔽して、電界干渉を抑制することができ、ガード電極８０には所定電圧が印加される（接地による０Ｖを含む）。図示例においては、ガード電極８０は接地されて０Ｖとされている。
【００４４】
ガード電極８０は、好ましい態様として、図２（Ａ）に示すように、吐出電極７８とは異なる層に形成され、さらに、全面が絶縁層８８によって覆われている。
このような絶縁層８８を有することにより、隣接する吐出電極７８間における電界干渉を好適に防止できると共に、吐出電極７８とガード電極８０との間で、インクＱの色材粒子が被膜化して放電することも防止できる。
【００４５】
ここで、ガード電極８０は、吐出電極７８から発生する電気力線のうち、対応する吐出口８２（以下、便宜的に「自チャンネル」とする）に作用する電気力線を確保しつつ、他の吐出口８２（同様に「他チャンネル」とする）に設けられた吐出電極７８の電気力線および他チャンネルへの電気力線を遮蔽するように設ける必要がある。
ガード電極８０が無い場合、インク液滴の吐出時に、吐出電極７８の吐出口側の端部（以下、吐出電極の内縁部という）から生じる電気力線は、吐出電極７８の内側、すなわち、吐出電極７８の内縁部によって囲まれた領域内に収束して自チャンネルに作用し、インク液滴の吐出に必要な電界を生じさせる。一方、吐出電極７８の吐出口側と逆側の端部（以下、吐出電極の外縁部という）から生じる電気力線は、吐出電極７８の外縁部よりも更に外側に発散して他チャンネルに影響を及ぼし、電界干渉を生じる。
【００４６】
以上の点を考慮すれば、ガード電極８０の矩形状の開口部９０の幅及び長さは、自チャンネルへの電気力線を遮蔽しないように、基板平面で見た際に、自チャンネルの吐出電極７８も大きくするのが好ましい。すなわち、ガード電極８０の吐出口８２側の端部は、自チャンネルの吐出電極７８の内縁部よりも、吐出口８２から離間（後退）しているのが好ましい。
また、他チャンネルへの電気力線を効率的に遮蔽するためには、ガード電極８０の矩形状の開口部９０の長さ及び幅は、基板平面で見た際に、自チャンネルの吐出電極７８の外縁部間の間隔よりも小さくするのが好ましい。すなわち、ガード電極８０の内縁部は、自チャンネルの吐出電極７８の外縁部よりも、吐出口８２に近接（前進）しているのが好ましい。本発明者の検討によれば、この近接量は、５μｍ以上、特に、１０μｍ以上とするのが好ましい。
上記構成を有することにより、吐出口８２からの吐出安定性を十分に確保した上で、隣接するチャンネル間における電界干渉に起因するインク着弾位置のバラツキ等を好適に抑制して、安定して高画質な画像記録を行うことが可能となる。
【００４７】
ガード電極８０の開口部９０を、吐出電極７８の内縁部又は外縁部によって形成される形状と略相似形にし、ガード電極８０の内縁部が、自チャンネルの吐出電極７８の内縁部よりも吐出口８２から離間（後退）し、吐出電極の外縁部よりも吐出口８２に近接（前進）するように、ガード電極８０を設けてもよい（すなわち、ガード電極８０の開口部９０を形成してもよい）。
【００４８】
また、以上の例では、ガード電極８０は、シート状電極としているが、本実施形態はこれには限定されず、各吐出口間において、他チャンネルの電気力線を遮蔽できるように設けられていれば、どのような形状又は構造でも良い。例えば、ガード電極８０は、各吐出口の間に網目状に設けられていても良い。また、マトリクス状に配列されている複数の吐出口において、例えば、行方向と列方向で隣接する吐出口の間隔が異なる場合には、電界干渉を生じない程十分離れている吐出口の間にはガード電極を設けずに、近接している吐出口の間にのみガード電極を設けても良い。
このような場合にも、自チャンネルの吐出電極７８に対して、ガード電極８０の内縁部が、吐出電極７８の内縁部よりも吐出口８２から離間し、吐出電極７８の外縁部より吐出口８２に近接するように、ガード電極８０を形成すればよい。
ここでは、ガード電極８０の開口部９０の形状を、吐出口８２の形状と略同様の形状にしたが、これに限定されるものではなく、隣接する吐出電極７８間における電気力線を遮蔽して電界干渉を防止することができれば、任意の形状にすることができる。例えば、円形や楕円形、正方形、ひし形などの形状にすることができる。
【００４９】
また、本実施形態の吐出ヘッド１６は、好ましい形態として、ヘッド基板７２に吐出口８２にインクを誘導するインク誘導堰９４が設けられている。以下、インク誘導堰９４について説明する。
図５（Ａ）は、図２の吐出ヘッド１６における吐出部近傍の構成を示す部分断面斜視図である。同図では、インク誘導堰９４の構造を明示するために、吐出口基板７６をインクガイド７４の略中央の位置でインク流方向に沿って切断して示している。
【００５０】
インク誘導堰９４は、ヘッド基板７２のインク流路８４側の面、すなわちインク流路８４の底面において、吐出口８２に対応する位置に配置されたインクガイド７４のインク流方向の上流側および下流側に備えられており、インク流方向に対して、吐出口８２に対応する位置の近傍から吐出口８２の中心に対応する位置に向かって、吐出口基板７６に漸次近接するように傾斜した面を有している。すなわち、インク誘導堰９４は、インク流方向に沿って、吐出口８２に向かって傾斜する形状を有している。
【００５１】
また、インク誘導堰９４は、インク流に直交する方向には、吐出口８２と略同一の幅を有し、底面から垂設する壁面を有する形状とされている。また、インク誘導堰９４は、吐出口８２を塞ぐことなく、インクＱの流路を確保するように、吐出口基板７６のインク流路８４側の面、すなわちインク流路８４の上面から所定の間隔を置いて設けられている。このようなインク誘導堰９４は、各々の吐出部にそれぞれ設けられている。
【００５２】
このように、インク流路８４の底面に、インク流方向に沿って、吐出口８２に向かって傾斜するインク誘導堰９４を設けることによって、吐出口８２へ向かうインク流が形成され、インクＱが吐出口８２のインク流路８４側の開口部に誘導される。そのため、インクＱを吐出口８２内部へ好適に流入させることができ、インクの粒子供給性をより向上させることができる。さらに目詰まりもより確実に防止することができる。
【００５３】
インク誘導堰９４のインク流方向の長さｌは、隣接する吐出部と干渉しない範囲で、インクＱを吐出口８２へ好適に誘導できるように適宜設定されればよいが、図５（Ｂ）に示すように、インク誘導堰９４の最高部の高さｈに対し、３倍以上（ｌ／ｈ≧３）とするのが好ましく、８倍以上（ｌ／ｈ≧８）とするのがより好ましい。
【００５４】
インク誘導堰９４のインク流と直交する方向の幅は、吐出口８２と同等か、若干広いのが好ましい。また、インク誘導堰９４の幅は、図示例のように均一なものには限定されず、幅が漸減するものや漸増するもの等であってもよい。また、その壁面も、垂直面には限定されず、傾斜面等であってもよい。
【００５５】
インク誘導堰９４の傾斜面（インク誘導面）は、インクＱを吐出口８２に誘導するのに好適な形状とすればよく、一定の傾斜角を有する斜面であってもよいし、傾斜角が変化する面や、湾曲面であってもよい。また、その表面は、平滑面には限定されず、インク流方向に、あるいは吐出口８２の中心部に向かって放射状に、１条以上の畝や溝等が形成されていてもよい。
【００５６】
また、インク誘導堰９４の上部のインクガイド７４との接部近傍は、図示例のように段差を有することなく、滑らかにつながる形状としてもよい。
【００５７】
図示例では、インク誘導堰９４がインクガイド７４の上流側および下流側に配置された形態としているが、吐出口８２の上流側および下流側に斜面を有する台形状のインク誘導堰９４を設け、その上部にインクガイド７４を立設する形態としてもよいし、インクガイド７４およびインク誘導堰９４を一体的に形成してもよい。このように、インク誘導堰９４は、インクガイド７４と別々に、または、一体的に形成されて、ヘッド基板７２に取り付けられてもよいし、あるいは、従来公知の掘削手段によりヘッド基板７２を削り出して形成されてもよい。
【００５８】
なお、インク誘導堰９４は、吐出口８２の上流側に設けられていれば良いが、図示例のように、吐出口８２の下流側にも、インク液滴Ｒの吐出方向の高さが吐出口８２から遠ざかるにつれて低くなるように設けられているのが好ましい。これにより、上流側のインク誘導堰９４によって吐出口８２に向かって誘導されたインクＱが滑らかに下流側へ流れるので、インクＱが乱流になることなく、インク流の安定を保つことができ、吐出安定性を保つことができる。
【００５９】
また、図５の例では、インク誘導堰９４は、ヘッド基板７２の上側の面上に配置されているが、これに限定されず、ヘッド基板７２にインク流溝を設け、インク流溝の内部にインク誘導堰を設けてもよい。
【００６０】
例えば、インク流方向に沿って、吐出口８２に対応する位置を通過する所定深さのインク流溝を設け、吐出口に対応する位置にインク流方向に沿って吐出口８２に向かって傾斜する面を有するインク誘導堰を設ける。このように、インク流溝を設けることによって、インク流路８４を流れるインクＱの多くを選択的にインク流溝に流すことができ、インク流路堰を設けることで、インクＱを吐出口８２の内部へ好適に流入させることができ、インクガイド先端部分７４ａへのインクの供給性を向上させることができる。
【００６１】
前述のような色材粒子を含有するインクＱを用いる静電式のインクジェットにおいては、従来のインクジェット方式のように、インク全体に力を作用させて、インクを記録媒体に向けて飛翔させるのではなく、主に、キャリア液に分散させた固形成分である色材粒子に力を作用させて、インクを飛翔させる。以下、吐出ヘッド１６におけるインク液滴Ｒの吐出作用を説明する。
【００６２】
図２（Ａ）に示すように、吐出ヘッド１６では、図示しないポンプ等を含むインク循環機構により、記録時に吐出電極７８に印加される電圧と同極性、例えば、正（＋）に帯電した色材粒子を含むインクＱが、インク流路８４の内部を矢印方向（図中左から右方向）に循環している。
他方、記録に際して、記録媒体Ｐは、上述のしたように、帯電手段１４によって色材粒子と逆極性すなわち負の高電圧（一例として、−２．２ｋＶ）に帯電されて、バイアス電圧を帯電した状態で、搬送ベルト２０に静電吸着される。
この状態で、記録媒体Ｐ（搬送ベルト２０）と吐出ヘッド１６とを、相対的に移動しつつ、供給された画像データに応じて制御部９２で吐出電極７８にパルス電圧（以下、駆動電圧という）が印加されるように制御する。そして、基本的には、駆動電圧の印加ｏｎ／ｏｆｆによって吐出をｏｎ／ｏｆｆすることにより、画像データに応じてインク液滴Ｒを変調して吐出し、記録媒体Ｐ上に画像を記録する。
【００６３】
ここで、吐出電極７８に駆動電圧を印加していない状態（あるいは、印加電圧が低電圧レベルである状態）、すなわち、バイアス電圧のみが印加されている状態では、インクＱには、バイアス電圧とインクＱの色材粒子（荷電粒子）の荷電とのクーロン引力、色材粒子間のクーロン反発力、キャリア液の粘性、表面張力、誘電分極力等が作用している。そして、これらが連成して、色材粒子やキャリア液が移動し、図２（Ａ）に概念的に示すように、インクＱは、吐出口８２から若干盛り上がったメニスカス状となってバランスが取れている。
また、吐出電極７８から発生する電界によって、吐出口８２に色材粒子が凝集している。そして、上述したクーロン引力等によって、その色材粒子は、いわゆる電気泳動でバイアス電圧が帯電された記録媒体Ｐに向かって移動する。したがって、吐出口８２に形成されたメニスカスにおいては、インクＱが濃縮された状態となっている。
【００６４】
この状態から、吐出電極７８には駆動電圧が印加される。これにより、バイアス電圧に駆動電圧が重畳され、先の連成に、さらにこの駆動電圧の重畳によって連成された運動が起こる。そして、吐出電極７８への駆動電圧の印加によって発生する電界によって色材粒子及びキャリア液には静電力が作用する。その静電力によって色材粒子およびキャリア液がバイアス電圧（搬送ベルト２０）側、すなわち記録媒体Ｐ側に引っ張られ、吐出口に形成されたメニスカスが上方に向かって成長し、吐出口８２の上方に略円錐状のインク液柱いわゆるテーラーコーンが形成される。また、先と同様に、色材粒子は、電気泳動、及び、吐出電極からの電界によってメニスカスに移動しており、メニスカスのインクＱは濃縮され、色材粒子を多数有する、ほぼ均一な高濃度状態となっている。
【００６５】
吐出電極７８への駆動電圧の印加開始後、さらに有限な時間が経過すると、色材粒子の移動等により、電界強度の高いメニスカスの先端部分で、主に色材粒子とキャリア液の表面張力とのバランスが崩れ、メニスカスが急激に伸びて、曳糸と呼ばれる直径数μｍ〜数十μｍ程度の細長いインク液柱が形成される。
さらに有限な時間が経過すると曳糸が成長し、この曳糸の成長、レイリー／ウエーバー不安定性によって発生する振動、メニスカス内における色材粒子の分布不均一、メニスカスにかかる静電界の分布不均一等の相互作用によって曳糸が分断される。そして、分断された曳糸が、インク液滴Ｒとなって吐出され、記録媒体に向かって飛翔し、かつ、バイアス電圧にも引っ張られて、記録媒体Ｐに着弾する。なお、曳糸の成長および分断は、さらにはメニスカス（曳糸）への色材粒子の移動は、駆動電圧の印加中は連続して発生する。したがって、駆動電圧を印加する時間を調整することによって、１画素当たりのインク液滴の吐出量を調整することができる。
また、駆動電圧の印加を終了（吐出ｏｆｆ）した時点で、バイアス電圧のみが印加された先のメニスカスの状態に戻る。
【００６６】
ここで、図２に示すように、本実施形態のインクジェットヘッドの吐出口はインク流方向に細長いスリット状の長穴形状を有する。このように、吐出口８２を細長いスリット状の長穴形状、つまりインク流方向の長さとインク流れに直交する方向の長さとのアスペクト比が１以上となる形状とすることで、インクが吐出口内部に流れやすくなり、吐出口８２へのインクの粒子供給性が高くなる。これにより、インクガイド先端１４ａへのインクの粒子供給性を向上させることができる。したがって、画像記録時の吐出周波数が改善され、高速で連続的にドットを描画しても安定して所望のサイズのドットを描画することができる。さらに、吐出口のアスペクト比を1以上にすることで、インクの流れがスムーズになり、吐出口での目詰まりを防止することができ、アスペクト比を、１．５以上とすることで、インクガイドへのインク供給性がより向上し、連続した大ドットを形成した際も、より安定してドットを形成することができ、より高い周波数の描画周波数で描画を行うことができる。
吐出周波数としては、画像の出力時間を考慮すると５ｋＨｚで、好ましくは１０ｋＨｚで、より好ましくは１５ｋＨｚで描画できることが望まれる。
【００６７】
ここで、上記のように、吐出口の開口形状をインク流方向の長さとインク流れに直交する方向の長さとのアスペクト比が１以上となる形状とすることで、上記効果をより好適に得るができるが、本実施形態のインクジェットヘッドはこれに限定されず、吐出口の開口形状を、開口の長径と短径のアスペクト比を１以上とすることで、インクの流れをスムーズにし、吐出口での目詰まりを防止することができる。
【００６８】
また、図２（Ａ）及び（Ｂ）に示した吐出ヘッド１６においては、吐出電極７８はインク流路８４に露出している。すなわち、吐出電極７８は、インク流路８４において、インクＱと接液している。
このように、インク流路８４においてインクＱと接液する吐出電極７８に駆動電圧を印加（吐出ｏｎ）すると、吐出電極７８に供給された電荷の一部がインクＱに注入され、吐出口８２と吐出電極７８との間に位置するインクＱの電導度が高くなる。したがって、本実施形態の吐出ヘッド１６においては、インクＱは、吐出電極７８に駆動電圧が印加された時（吐出ｏｎ時）に、インク液滴Ｒを吐出し易い状態となる（吐出性が向上する）。
さらに、非吐出時、すなわち、駆動電圧を印加していないときに、コの字形の吐出電極７８に色材粒子と同極性の電圧を印加することで、非吐出時においてもインクに電荷が注入され、インクの電導度を一層高めることができ、上流から流れるインク中に浮遊する帯電した色材粒子を、吐出電極７８による静電力によって吐出口８２により確実に押し留められる。
【００６９】
ここで、本実施形態の吐出ヘッド１６に用いられるインクについて説明する。
インクＱは、色材粒子をキャリア液に分散することにより得られる。キャリア液は、高い電気抵抗率（１０9Ω・ｃｍ以上、好ましくは１０10Ω・ｃｍ以上）を有する誘電性の液体（非水溶媒）であるのが好ましい。キャリア液の電気抵抗が低いと、制御電極に印加される駆動電圧により、キャリア液自身が電荷注入を受けて帯電してしまい、色材粒子の濃縮がおこらない。また、電気抵抗の低いキャリア液は、隣接する制御電極間での電気的導通を生じさせる懸念もあるため不向きである。
【００７０】
キャリア液として用いられる誘電性液体の比誘電率は、５以下が好ましく、より好ましくは４以下、さらに好ましくは３．５以下である。このような比誘電率の範囲とすることによって、キャリア液中の色材粒子に有効に電界が作用し、泳動が起こりやすくなる。
なお、このようなキャリア液の固有電気抵抗の上限値は１０16Ω・ｃｍ程度であるのが望ましく、比誘電率の下限値は１．９程度であるのが望ましい。キャリア液の電気抵抗が上記範囲であるのが望ましい理由は、電気抵抗が低くなると、低電界下でのインクの吐出が悪くなるからであり、比誘電率が上記範囲であるのが望ましい理由は、誘電率が高くなると溶媒の分極により電界が緩和され、これにより形成されたドットの色が薄くなったり、滲みを生じたりするからである。
【００７１】
キャリア液として用いられる誘電性液体としては、好ましくは直鎖状もしくは分岐状の脂肪族炭化水素、脂環式炭化水素、または芳香族炭化水素、および、これらの炭化水素のハロゲン置換体がある。例えば、へキサン、ヘプタン、オクタン、イソオクタン、デカン、イソデカン、デカリン、ノナン、ドデカン、イソドデカン、シクロヘキサン、シクロオクタン、シクロデカン、ベンゼン、トルエン、キシレン、メシチレン、アイソパーＣ、アイソパーＥ、アイソパーＧ、アイソパーＨ、アイソパーＬ、アイソパーＭ（アイソパー：エクソン社の商品名）、シェルゾール７０、シェルゾール７１（シェルゾール：シェルオイル社の商品名）、アムスコＯＭＳ、アムスコ４６０溶剤（アムスコ：スピリッツ社の商品名）、シリコーンオイル（例えば、信越シリコーン社製ＫＦ−９６Ｌ）等を単独あるいは混合して用いることができる。
【００７２】
このようなキャリア液に分散される色材粒子は、色材自身を色材粒子としてキャリア液中に分散させてもよいが、好ましくは、定着性を向上させるための分散樹脂粒子を含有させる。分散樹脂粒子を含有させる場合、顔料などは分散樹脂粒子の樹脂材料で被覆して樹脂被覆粒子とする方法などが一般的であり、染料などは分散樹脂粒子を着色して着色粒子とする方法などが一般的である。
【００７３】
色材としては、従来からインクジェットインク組成物、印刷用（油性）インキ組成物、あるいは静電写真用液体現像剤に用いられている顔料および染料であればどれでも使用可能である。
色材として用いる顔料としては、無機顔料、有機顔料を問わず、印刷の技術分野で一般に用いられているものを使用することができる。具体的には、例えば、カーボンブラック、カドミウムレッド、モリブデンレッド、クロムイエロー、カドミウムイエロー、チタンイエロー、酸化クロム、ビリジアン、コバルトグリーン、ウルトラマリンブルー、プルシアンブルー、コバルトブルー、アゾ系顔料、フタロシアニン系顔料、キナクリドン系顔料、イソインドリノン系顔料、ジオキサジン系顔料、スレン系顔料、ペリレン系顔料、ペリノン系顔料、チオインジゴ系顔料、キノフタロン系顔料、金属錯体顔料、等の従来公知の顔料を特に限定なく用いることができる。
色材として用いる染料としては、アゾ染料、金属錯塩染料、ナフトール染料、アントラキノン染料、インジゴ染料、カーボニウム染料、キノンイミン染料、キサンテン染料、アニリン染料、キノリン染料、ニトロ染料、ニトロソ染料、ベンゾキノン染料、ナフトキノン染料、フタロシアニン染料、金属フタロシアニン染料、等の油溶性染料が好ましく例示される。
【００７４】
さらに、分散樹脂粒子としては、例えば、ロジン類、ロジン変性フェノール樹脂、アルキッド樹脂、（メタ）アクリル系ポリマー、ポリウレタン、ポリエステル、ポリアミド、ポリエチレン、ポリブタジエン、ポリスチレン、ポリ酢酸ビニル、ポリビニールアルコールのアセタール変性物、ポリカーボネート等を挙げられる。
これらのうち、粒子形成の容易さの観点から、重量平均分子量が２，０００〜１０００，０００の範囲内であり、かつ多分散度（重量平均分子量／数平均分子量）が、１．０〜５．０の範囲内であるポリマーが好ましい。さらに、前記定着の容易さの観点から、軟化点、ガラス転移点または、融点のいずれか１つが４０℃〜１２０℃の範囲内にあるポリマーが好ましい。
【００７５】
インクＱにおいて、色材粒子の含有量（色材粒子あるいはさらに分散樹脂粒子の合計含有量）は、インク全体に対して０．５〜３０重量％の範囲で含有されることが好ましく、より好ましくは１．５〜２５重量％、さらに好ましくは３〜２０重量％の範囲で含有されることが望ましい。色材粒子の含有量が少なくなると、印刷画像濃度が不足したり、インクＱと記録媒体Ｐ表面との親和性が得られ難くなって強固な画像が得られなくなったりするなどの問題が生じ易くなり、一方、含有量が多くなると均一な分散液が得られにくくなったり、インクジェットヘッド等でのインクＱの目詰まりが生じやすく、安定なインク吐出が得られにくいなどの問題が生じるからである。
【００７６】
また、キャリア液に分散された色材粒子の平均粒径は、０．１〜５μｍが好ましく、より好ましくは０．２〜１．５μｍであり、更に好ましくは０．４〜１．０μｍである。この粒径はＣＡＰＡ−５００（堀場製作所（株）製商品名）により求めたものである。
【００７７】
色材粒子をキャリア液に分散させた後（必要に応じて、分散剤を使用しても可）、荷電制御剤をキャリア液に添加することにより色材粒子を荷電して、荷電した色材粒子をキャリア液に分散してなるインクＱとする。なお、色材粒子の分散時には、必要に応じて、分散媒を添加してもよい。
荷電制御剤は、一例として、電子写真液体現像剤に用いられている各種のものが利用可能である。また、「最近の電子写真現像システムとトナー材料の開発・実用化」１３９〜１４８頁、電子写真学会編「電子写真技術の基礎と応用」４９７〜５０５頁（コロナ社、１９８８年刊）、原崎勇次「電子写真」１６（Ｎｏ．２）、４４頁（１９７７年）等に記載の各種の荷電制御剤も利用可能である。
【００７８】
なお、色材粒子は、制御電極に印加される駆動電圧と同極性であれば、正電荷および負電荷のいずれに荷電したものであってもよい。
また、色材粒子の荷電量は、好ましくは５〜２００μＣ／ｇ、より好ましくは１０〜１５０μＣ／ｇ、さらに好ましくは１５〜１００μＣ／ｇの範囲である。
【００７９】
また、荷電制御剤の添加によって誘電性溶媒の電気抵抗が変化することもあるため、下記に定義する分配率Ｐを、好ましくは５０％以上、より好ましくは６０％以上、さらに好ましくは７０％以上とする。
Ｐ＝１００×（σ１−σ２）／σ１
ここで、σ１は、インクＱの電気伝導度、σ２は、インクＱを遠心分離器にかけた上澄みの電気伝導度である。電気伝導度は、ＬＣＲメーター（安藤電気（株）社製ＡＧ−４３１１）および液体用電極（川口電機製作所（株）社製ＬＰ−０５型）を使用し、印加電圧５Ｖ、周波数１ｋＨｚの条件で測定を行った値である。また遠心分離は、小型高速冷却遠心機（トミー精工（株）社製ＳＲＸ−２０１）を使用し、回転速度１４５００ｒｐｍ、温度２３℃の条件で３０分間行った。
以上のようなインクＱを用いることによって、荷電粒子の泳動が起こりやすくなり、濃縮しやすくなる。
【００８０】
インクＱの電気伝導度は、１００〜３０００ｐＳ／ｃｍが好ましく、より好ましくは１５０〜２５００ｐＳ／ｃｍ、さらに好ましくは２００〜２０００ｐＳ／ｃｍである。以上のような電気伝導度の範囲とすることによって、制御電極に印加する電圧が極端に高くならず、隣接する記録電極間での電気的導通を生じさせる懸念もない。
また、インクＱの表面張力は、１５〜５０ｍＮ／ｍの範囲が好ましく、より好ましくは１５．５〜４５ｍＮ／ｍ、さらに好ましくは１６〜４０ｍＮ／ｍの範囲である。表面張力をこの範囲とすることによって、制御電極に印加する電圧が極端に高くならず、ヘッド周りにインクが漏れ広がり汚染することがない。
さらに、インクＱの粘度は０．５〜５ｍＰａ・ｓｅｃが好ましく、より好ましくは０．６〜３．０ｍＰａ・ｓｅｃ、さらに好ましくは０．７〜２．０ｍＰａ・ｓｅｃである。
【００８１】
このようなインクＱは、一例として、色材粒子をキャリア液に分散して粒子化し、かつ、荷電調整剤を分散媒に添加して、色材粒子に荷電を生じさせることで、調製できる。具体的な方法としては、以下の方法が例示される。
（１）色材あるいはさらに分散樹脂粒子をあらかじめ混合（混練）した後、必要に応じて分散剤を用いてキャリア液に分散し、荷電調整剤を加える方法。
（２）色材、あるいはさらに分散樹脂粒子および分散剤を、キャリア液に同時に添加して、分散し、荷電調整剤を加える方法。
（３）色材および荷電調整剤、あるいはさらに分散樹脂粒子および分散剤を、同時にキャリア液に添加して、分散する方法。
【００８２】
静電式のインクジェット記録装置では、通常、上述のようにして、搬送ベルト２０により記録媒体Ｐを搬送させつつ、画像信号に応じて吐出ヘッド１６からインク液滴を吐出させることで、記録媒体Ｐに画像を形成している。しかしながら、このような静電式のインクジェット記録装置では、吐出ヘッドの吐出履歴により、吐出特性が変化し、インク液滴の吐出が不安定になり、高画質な画像を形成することができない、つまりインク液滴の吐出には吐出周波数依存性があるという問題があった。
【００８３】
本発明者は、この点について鋭意検討の結果、上記吐出特性（周波数依存性、吐出頻度依存性）が吐出部のぬれ状態、特にインクガイドのぬれ状態に起因し、吐出頻度が低い、つまり吐出周波数が低い（吐出時間間隔が大きい）場合に、吐出部、特にインクガイドの先端部分が乾いてしまうことが原因であることを見いだした。
【００８４】
そこで、本発明では、インクガイドの先端部分等の吐出部が乾くことを防止するために、記録媒体Ｐが吐出ヘッドと対向する位置に搬送され記録媒体Ｐに画像が形成される前に、吐出ヘッドの吐出部に強電界を形成し、インクガイドの先端部分にインクを供給し、インクガイドの先端部分をインクにぬれた状態にさせる機能を有する強電界発生手段１３を配置する。
【００８５】
本実施形態の強電界発生手段１３は、上述したように帯電手段１４と電圧制御部１５とで構成される。電圧制御部１５は、帯電手段１４のスコロトロン帯電器４０のグリット電圧を制御することで、搬送ベルト２０の表面の絶縁層３０を帯電させる電圧を制御する。
【００８６】
以下、図６とともに、電圧制御部１５による帯電手段１４の制御について詳細に説明する。ここで、図６（Ａ）は、強電界発生手段１３周辺の拡大図であり、図６（Ｂ）は、搬送ベルト２０の位置と電圧制御部４４によりスコロトロン帯電器４０に印加されるグリット電圧との関係を示すグラフであり、図６（Ｃ）は、搬送ベルト２０の位置と搬送ベルトに帯電される電位（搬送ベルト上電位）との関係を示すグラフであり、さらに、図６（Ｄ）は、電圧制御部１５によりスコロトロン帯電器４０に印加されるグリット電圧と時間の関係を示すグラフである。
【００８７】
まず、記録媒体Ｐを止着した搬送ベルト２０が記録媒体Ｐとともに移動を開始する（ｔ＝０）。
記録媒体Ｐの止着位置の先端部（図６（Ａ）中Ａ３）よりも搬送方向上流側の所定位置（図６（Ａ）中Ａ１）が、スコロトロン帯電器４０に対向する位置に搬送ベルト２０が移動されると（ｔ＝ｔ１）、電圧制御部１５は、スコロトロン帯電器４０にグリット電圧として−２．７ｋＶ、ワイア放電電圧として−６．５ｋＶを印加する。
【００８８】
その後、記録媒体Ｐの先端部（図６（Ａ）中Ａ３）と、グリット電圧印加の開始位置（図６（Ａ）中Ａ１）との間の所定位置（図６（Ａ）中Ａ２）がスコロトロン帯電器４０と対向する位置に移動される（ｔ＝ｔ２）まで、スコロトロン帯電器４０にはグリット電圧として−２．７ｋＶが印加される。
【００８９】
その後、記録媒体Ｐの先端部（図６（Ａ）中Ａ３）と、グリット電圧印加の開始位置（図６（Ａ）中Ａ１）との間の所定位置（図６（Ａ）中Ａ２）がスコロトロン帯電器４０と対向する位置を通過した後（ｔ＝ｔ２経過後）は、スコロトロン帯電器４０にはグリット電圧として−２．２ｋＶが印加される。
記録媒体Ｐがスコロトロン帯電器４０と対向する位置を通過する時、つまり記録媒体Ｐの先端部（図６（Ａ）中Ａ３）がスコロトロン帯電器４０と対向した位置を通過後（ｔ＝ｔ３経過後）もグリット電圧として−２．２ｋＶがスコロトロン帯電器４０に印加される。
【００９０】
以上のように、電圧制御部１５は、図６（Ｂ）に示すように、搬送ベルト２０の位置に応じて、スコロトロン帯電器４０に印加するグリット電圧を制御する。また、図６（Ｄ）に示すように、強電界発生手段１３の電圧制御部１５は、スコロトロン帯電器４０にグリット電圧として、ｔ１〜ｔ２間は−２．７ｋＶを印加し、ｔ２以降は−２．２ｋＶを印加する。
これにより、記録媒体Ｐおよび搬送ベルト２０の絶縁層３０には、図６（Ｃ）に示すように、搬送ベルト２０の絶縁層３０上のＡ１とＡ２との間の部分には、約−２．７ｋＶが帯電され、Ａ２より記録媒体Ｐ側の搬送ベルト２０および記録媒体Ｐには約−２．２ｋＶが帯電される。つまり、搬送ベルト２０上の記録媒体Ｐの止着位置よりも搬送方向上流側の所定部分が、記録媒体Ｐおよび搬送ベルト２０の他の部分よりも高い電位に帯電される。
また、本実施形態では、上述の高絶縁性を有する部材で搬送ベルトを形成することで、図６（Ｃ）に示すようにスコロトロン帯電器４０により帯電された電位は、搬送ベルト上に好適に保持される。
【００９１】
この搬送ベルト２０のＡ１とＡ２との間の部分（以下、強帯電部とする）が吐出ヘッド１６と対向する位置に搬送されると、記録媒体Ｐおよび搬送ベルト２０の他の部分（強帯電部以外の部分）が吐出ヘッド１６と対向している場合よりも強い電界が吐出ヘッド１６と搬送ベルト２０との間に形成される。つまり、搬送ベルト２０の強帯電部は、記録媒体Ｐへの画像記録中のインク液滴非吐出時に吐出ヘッド１６の吐出部に形成される電界強度よりも強い電界強度を吐出ヘッド１６の吐出部に与える、すなわち吐出部に強電界を形成する。
【００９２】
搬送ベルト２０の強帯電部が吐出ヘッド１６と対向する位置に搬送され、吐出ヘッド１６と搬送ベルト２０との間に強電界が形成されると、吐出ヘッド１６の吐出口９６のインクは搬送ベルト２０側に引き寄せられ、インクが吐出ヘッド１６のインクガイド７６の先端部分９８まで移動され、インクガイド７６の先端部分９８がインクにぬれた状態となる。
【００９３】
このように、搬送ベルトの記録媒体の止着位置よりも搬送方向の上流側の所定部分を高い電位に帯電させ、記録媒体に記録を行う直前、つまり記録媒体および吐出ヘッドが画像記録可能な位置へ相対移動される直前に、高電位に帯電させた部分を吐出ヘッドと対向する位置を通過させることで、記録媒体への画像記録を行う前に、吐出ヘッドの吐出部のインクガイドの先端部分をインクにぬれた状態にすることができる。これにより、吐出履歴、吐出間隔に拘わらず、記録時の吐出ヘッドの吐出部（インクガイドの先端部分）のぬれ状態が一定となり、一定の吐出特性でインク液滴を吐出させることができる。
【００９４】
以上より、本発明によれば、吐出部のぬれ状態を一定にすことができ、描画の安定性を高くすることができ、記録媒体に高画質な画像を安定して形成することができる。また、吐出ヘッドの制御を行うことなく、吐出特性を一定にすることができる。これにより、簡単なドライバでインク液滴の吐出を制御することができ、装置コストを低くすることができる。
また、長時間インク液滴を吐出しない吐出部がある場合も、搬送ベルトの強帯電部が通過する度に、全ての吐出部がぬれた状態となるので、長時間インク液滴が吐出されないことで発生する吐出口のつまり等を防止することができる。
【００９５】
また、搬送ベルト２０の強帯電部が吐出ヘッド１６と対向する位置を通過する時に、吐出ヘッド１６からインク液滴が吐出されても、記録媒体Ｐに記録される画像には影響はないので、インク液滴が吐出される電界を形成する電位に搬送ベルト２０の強帯電部を帯電させてもよい。また、搬送ベルト２０の強帯電部の通過時に吐出ヘッド１６からインク液滴を吐出させることで、インクガイドの先端部分を確実にぬらすことができる。この場合には、搬送ベルトのクリーニング機構を設けることが好ましい。
【００９６】
搬送ベルトの強帯電部は、記録媒体の搬送方向と直交する方向の幅を、吐出ヘッドの幅よりも長くすることが好ましい。つまり、本実施形態のようなラインヘッドの場合は、搬送ベルトの幅方向、すなわち搬送方向に直交する方向全域に設けることが好ましい。
強帯電部の搬送方向に直交する方向の幅を、吐出ヘッドの搬送方向に直交する方向の幅より長い幅とすることで、吐出ヘッドを移動させることなく、搬送ベルトによる強帯電部の移動のみで、吐出ヘッドの全ての吐出部に強電界を発生させ、吐出部（インクガイドの先端部部）をインクにぬれた状態にすることができる。
【００９７】
また、記録前に吐出ヘッドのインクガイドの先端部分がインクにぬれた状態となっていれば、強電界発生手段により吐出部に強電界を形成する時間は特に限定されず、少なくとも記録前に瞬間的に吐出ヘッドに強電界を発生させ、インクガイドの先端部分をぬれた状態とすればよい。
また、強電界発生手段により、吐出部に強電界を形成する時間を瞬間的つまり短い時間にすることにより、強電界発生手段がインク液滴を吐出する強さの電界を形成する場合でも、インク液滴の吐出を最小限にすることができ、インクの消費を抑えることができる。
【００９８】
本実施形態では、さらに、搬送ベルトの強帯電部となる部分を搬送ベルトの他の部分よりも帯電性の高い材料で形成してもよい。
このように、強帯電部となる部分を高い帯電性の材料で形成することで、帯電手段により強帯電部に印加する電圧を上記実施形態よりも低くしても、上記実施形態と同様に、搬送ベルトの強帯電部を搬送ベルトの他の部分よりもより高い電位に帯電させることができ、吐出ヘッドに強電界を形成することができる。
【００９９】
また、上記実施形態では、搬送ベルト２０とともに強帯電部を移動させ、吐出ヘッド１６と対向する位置を通過させたが、本発明はこれに限定されず、記録媒体Ｐおよび吐出ヘッド１６が画像記録可能な位置へ相対移動される直前に、吐出ヘッドと対向する位置に強電界形成部１８により吐出部に強い電界強度を与えればよく、吐出ヘッド１６を移動させてもよい。
【０１００】
なお、本実施形態では、帯電手段で記録媒体の静電吸着および帯電、搬送ベルトへの帯電を行っているが、別々に設けてもよく、例えば、記録媒体Ｐへの静電吸着および帯電を均一な電位を帯電させる帯電手段と、搬送ベルトの強帯電部を選択的に帯電させる帯電手段とを別々の帯電手段として設けてもよい。
【０１０１】
以下、記録装置１０の動作を説明する。
記録装置１０では、画像の記録時に図示しない給紙トレイから、搬送ベルト２０に記録媒体Ｐが供給される
記録媒体Ｐを所定位置に載置させた搬送ベルト２０は、ベルトローラ２２、２４により所定方向に移動される。この搬送ベルト２０の移動に同期して、搬送ベルト２０上に載置された記録媒体Ｐも所定方向に搬送される。
【０１０２】
搬送ベルト２０が移動し、搬送ベルト２０の強帯電部（図６（Ａ）中Ａ１とＡ２との間）が帯電手段１４のスコロトロン帯電器４０と対向する位置まで移動すると、電圧制御部１５によりスコロトロン帯電器４０にグリット電圧として高電圧（例えば、−２．７ｋＶ）が印加され（図６（Ｄ）中ｔ１〜ｔ２）、強帯電部は、高電位に帯電される。
その後（ｔ２経過後）、電圧制御部１５によりスコロトロン帯電器４０にグリット電圧として所定電圧（例えば、−２．２ｋＶ）が印加される。
その後、搬送ベルト２０の強帯電部から所定距離搬送方向下流側に載置された記録媒体Ｐの先端部分（図６中Ａ３）がスコロトロン帯電器４０に対向した位置に搬送された後（図６（Ｄ）中ｔ３経過後）も、グリット電圧として所定電圧が印加され、記録媒体Ｐは所定電位に帯電される。
【０１０３】
このようにして、強電界発生手段１３により、高電位に帯電された搬送ベルト２０の強帯電部および所定電位に帯電された記録媒体Ｐは、搬送ベルト２０の強帯電部、記録媒体Ｐの順に吐出ヘッド１６と対向する位置に移動される。
搬送ベルト２０の強帯電部が吐出ヘッド１６と対向する位置を通過すると、吐出ヘッド１６には強電界が形成され、吐出ヘッドの吐出部、特にインクガイドの先端部分はインクにぬれた状態になる。
【０１０４】
その後、吐出ヘッドに対向する位置に記録媒体Ｐが搬送され、搬送ベルト２０の移動とともに所定の一定速度で搬送されつつ、吐出ヘッド１６により、記録媒体Ｐの表面に画像データに対応した画像が形成される。
【０１０５】
画像が形成された記録媒体Ｐは、図示しない定着装置により画像が定着され、画像が定着された記録媒体Ｐは、図示しない排出トレイに排出される。
【０１０６】
図７は、本発明の他の一例を示す概略構成図である。
図７に示すインクジェット記録装置（以下、記録装置５０とする）５０は、強電界発生手段５１を除いて、図１に示した記録装置１０と同じ構成のものである。従って、両者で同一の構成要素には同一の符号を付してその詳細な説明を省略し、以下、記録装置５０に特有の点を重点的に説明する。
【０１０７】
記録装置５０の強電界発生手段５１は、帯電手段１４と、電圧制御部５２とを有する。
帯電手段１４は、上記と同様の構成であり、スコロトロン帯電器４０と高圧電源４２とを有し、記録媒体Ｐおよび／または搬送ベルト２０の絶縁層３２の表面を所定の電位に帯電させる（本実施例では負の高電位）。ここで、本実施形態では、帯電手段１４は、記録媒体Ｐおよび搬送ベルトの絶縁層３２に所定の均一電位（本実施例では、−２．２ｋＶ）が帯電される。
【０１０８】
電圧制御部５２は、ベルトローラ２２に接続されており、ベルトローラ２２に所定電圧を印加することで、ベルトローラ２２と当接している搬送ベルト２０の導電層３２を所定電圧が印加された状態にする。また、電圧制御部５２は、導電層３２に印加する電圧を制御し、吐出ヘッド１６の吐出部に強電界を形成する。
【０１０９】
以下、図８とともに電圧制御部５２によりベルトローラ２２および搬送ベルト２０の導電層３２に印加される電圧の制御について詳細に説明する。ここで、図８（Ａ）は、吐出ヘッド１６周辺の拡大図であり、図８（Ｂ）は、搬送ベルト２０上の位置と、電圧制御部５２によりベルトローラ２２および導電層３２に印加される電圧との関係を示すグラフである。
【０１１０】
まず、記録媒体Ｐが止着された搬送ベルト２０が記録媒体Ｐとともに移動を開始する。ここで、本実施形態では、搬送ベルト２０および記録媒体Ｐは、帯電手段１４のスコロトロン帯電器４０により所定電位（本実施例では、−２．２ｋＶ）に帯電されている。
吐出ヘッド１６と対向する位置に記録媒体Ｐの搬送方向先端部（図８（Ａ）中Ｂ３）よりも搬送方向上流側の所定位置（図８（Ａ）中Ｂ１）が吐出ヘッド１６と対向する位置まで搬送ベルト２０が移動されると、電圧制御部５２は、ベルトローラ２２および導電層３２に所定電圧（本実施例では、−５００Ｖ（−０．５ｋＶ））を印加する。
【０１１１】
その後、記録媒体Ｐの先端部（図８（Ａ）中Ｂ３）と、電圧印加の開始位置（図８（Ａ）中Ｂ１）との間の所定位置（図８（Ａ）中Ｂ２）が吐出ヘッド１６と対向する位置に移動されるまで、ベルトローラ２２および導電層３２には所定電圧が印加される。
【０１１２】
記録媒体Ｐの先端部（図８（Ａ）中Ｂ３）と、電圧印加の開始位置（図８（Ａ）中Ｂ１）との間の所定位置（図８（Ａ）中Ｂ２）が吐出ヘッド１６と対向する位置を通過した後は、電圧制御部５２から、ベルトローラ２２および導電層３２への電圧印加は終了し、ベルトローラ２２および導電層３２は０Ｖ状態となる。
その後、記録媒体Ｐが吐出ヘッド１６と対向する位置を通過する時、つまり記録媒体Ｐの先端部（図８（Ａ）中Ｂ３）が吐出ヘッド１６と対向した位置を通過した後もベルトローラ２２および導電層３２は０Ｖ状態となる。つまり、記録媒体Ｐへの画像記録時は、記録媒体Ｐには、スコロトロン帯電器４０により記録媒体Ｐに帯電された−２．２ｋＶのみが帯電された状態となる。
【０１１３】
以上のように、電圧制御部５２は、搬送ベルトの位置に応じて、ベルトローラ２２および導電層３０に印加する電圧を制御する。
これにより、図８（Ｂ）に示すように、搬送ベルト２０のＢ１とＢ２との間の部分が吐出ヘッド１６と対向する位置に搬送される間は、電圧制御部５２により所定電圧が印加され、記録媒体Ｐおよび搬送ベルト２０の他の部分（強帯電部以外の部分）が吐出ヘッド１６と対向している場合よりも強い電界が吐出ヘッド１６と搬送ベルト２０との間に形成される、つまり、吐出ヘッド１６の吐出部に、強電界が形成される。
【０１１４】
本実施形態のように、記録媒体Ｐおよび搬送ベルト２０の絶縁層３０を所定の均一電位に帯電させ、記録媒体Ｐの止着位置の搬送方向上流側の所定部分が吐出ヘッド１６と対向する位置を搬送されている間に、電圧制御部５２によりベルトローラ２２および導電層３２に所定電圧を印加することでも、記録媒体Ｐへの画像の記録を行う前に、吐出ヘッド１６の吐出部に強電界を形成することができる。
【０１１５】
これにより、本実施形態も上述の本発明の各種効果を得ることができ、描画安定性を高くすることができ、記録媒体に高画質な画像を安定して形成することができる。また、本実施形態も吐出部の制御を行う必要がないので、装置コストを低くすることができる。
【０１１６】
図９は、本発明の他の一例を示す概略構成図である。
図９に示すインクジェット記録装置（以下、記録装置６０とする）６０は、搬送手段６２および強電界発生手段６５を除いて、図１に示した記録装置１０と同じ構成のものである。従って、両者で同一の構成要素には同一の符号を付してその詳細な説明を省略し、以下、記録装置６０に特有の点を重点的に説明する。
【０１１７】
記録装置６０の搬送手段６２は、搬送ベルト６４と、ベルトローラ２２、２４とを有する。
記録装置１０では、絶縁層３０と導電層３２の２層構造とした搬送ベルト２０を用いたが、本実施形態の搬送ベルト６４は、絶縁部材により構成している。
【０１１８】
搬送ベルト６４は、搬送ベルト２０と同様に、リング状のエンドレスベルトであり、ベルトローラ２２、２４により張架されている。ここで、本実施形態のベルトローラ２２は、接地されていない。
搬送ベルト６４は、上記搬送ベルト２０の絶縁層３０と同様の材料、例えばポリイミド樹脂、または、フッ素樹脂で形成することができる。なお、フッ素樹脂としては、４フッ化エチレン樹脂（ＰＴＦＥ）、４フッ化エチレン・パーフルオロアルコキシエチレン共重合樹脂（ＰＦＡ）、４フッ化エチレン・６フッ化プロピレン共重合樹脂（ＦＥＰ）、４フッ化エチレン・エチレン共重合樹脂（ＥＴＦＥ）、３フッ化塩化エチレン樹脂（ＰＣＴＦＥ）、３フッ化塩化エチレン・エチレン共重合樹脂（ＥＣＴＦＥ）、フッ化ビニリデン樹脂（ＰＶＤＦ）、フッ化ビニル樹脂（ＰＶＦ）が例示される。
【０１１９】
ここで、搬送ベルト６４の表面粗さＲａは５μｍ以下、好ましくは２μｍ以下とすることにより、記録媒体Ｐを均一に吸着搬送することができる。また、搬送ベルト６４の厚みは１０〜５００μｍ、好ましくは５０〜３００μｍとすることにより、十分な耐久性とベルト搬送適性が得られる。また、搬送ベルト６４の引っ張り強さは、１００ｋｇ／ｃｍ2以上、好ましくは、１２０ｋｇ／ｃｍ2以上とすることにより、高い搬送精度、および高い耐久性を得ることができる。また、搬送ベルト６４の体積抵抗率は、１０14Ω・ｃｍ以上、好ましくは１０15Ω・ｃｍ以上とすることにより、良好な電荷（帯電電位）保持性を確保することができる。また、搬送ベルトの吸水率（ＡＳＴＭＤ５７０に準拠）は、５％以下、好ましくは２％以下とすることにより、湿度変動に対する搬送精度を安定化させることができる。
【０１２０】
強電界発生手段６５は、導電性プラテン６６と電圧制御部６８とを有する。
導電性プラテン６６は、吐出ヘッド１６に対向する位置の搬送ベルト６４の内側、つまりベルトロール２２、２４側に搬送ベルト２０と当接されて配置されている。
電圧制御部６８は、導電性プラテン６６に接続されており、導電性プラテンに電圧を印加する。電圧制御部６８は、導電性プラテン６６に印加する電圧を制御し、吐出ヘッド１６の吐出部に強電界を形成する。
【０１２１】
以下、図１０とともに電圧制御部６８により導電性プラテン６６に印加する電圧の制御について詳細に説明する。ここで、図１０（Ａ）は、吐出ヘッド１６周辺の拡大図であり、図１０（Ｂ）は、搬送ベルト２０の位置と電圧制御部６８により導電性プラテン６６に印加される電圧との関係を示すグラフである。
【０１２２】
まず、記録媒体Ｐが止着された搬送ベルト２０が記録媒体Ｐとともに移動を開始する。
吐出ヘッド１６と対向する位置に記録媒体Ｐの搬送方向先端部（図１０（Ａ）中Ｃ３）よりも搬送方向上流側の所定位置（図１０（Ａ）中Ｃ１）が吐出ヘッド１６と対向する位置まで搬送ベルト６４が移動されると、電圧制御部６８は、導電性プラテン６６に高電圧（本実施例では、−２．７ｋＶ）を印加する。
【０１２３】
その後、記録媒体Ｐの先端部（図１０（Ａ）中Ｃ３）と、電圧印加の開始位置（図１０（Ａ）中Ｃ１）との間の所定位置（図１０（Ａ）中Ｃ２）が吐出ヘッド１６と対向する位置に移動されるまで、導電性プラテン６８には高電圧（−２．７ｋＶ）が印加される。
【０１２４】
記録媒体Ｐの先端部（図１０（Ａ）中Ｃ３）と、電圧印加の開始位置（図１０（Ａ）中Ｃ１）との間の所定位置（図１０（Ａ）中Ｃ２）が吐出ヘッド１６と対向する位置を通過した後は、電圧制御部６８から、導電性プラテン６８には、所定電圧（−２．２ｋＶ）が印加される。
その後、記録媒体Ｐが吐出ヘッド１６と対向する位置を通過する時、つまり記録媒体Ｐの先端部（図１０（Ａ）中Ｃ３）が吐出ヘッド１６と対向した位置を通過した後も導電性プラテン６８には所定電圧（−２．２ｋＶ）が印加される。これにより、本実施形態では、記録媒体Ｐへの画像記録時は、導電性プラテン６８が対向電極として機能し、導電性プラテン６８と吐出ヘッド１６の制御電極との間で形成される電界によりインク液滴が吐出され、記録媒体Ｐに画像が記録される。
【０１２５】
本実施形態のように、記録媒体Ｐの止着位置の搬送方向上流側の所定部分が吐出ヘッド１６と対向した位置を搬送されている間に、電圧制御部６６により導電性プラテン６８に高電圧を印加することで、記録媒体Ｐへの画像の記録を行う前に、吐出ヘッド１６の吐出部に強電界を形成することができる。
【０１２６】
これにより、本実施形態も上述の本発明の各種効果を得ることができ、描画安定性を高くすることができ、記録媒体に高画質な画像を安定して形成することができる。また、本実施形態も吐出部の制御を行う必要がないので、装置コストを低くすることができる。
【０１２７】
また、本実施形態では、記録時に導電性プラテンに所定電圧を印加することで、バイアス電圧としたが、本発明はこれに限定されず、帯電手段を設け、記録媒体を所定電位に帯電させ、導電性プラテンに印加される電圧と記録媒体Ｐに帯電される電圧で、記録時のバイアス電圧としてもよい。
また、強電界形成手段は、上記各実施形態を組み合わせてもよく、例えば、帯電手段により搬送ベルトの記録媒体の止着位置の搬送方向上流の所定領域を高電位に帯電させ、されに、高電位に帯電させた部分が吐出ヘッドと対向する位置の通過時に導電性プラテン、または搬送ベルトの導電層等に所定電圧を印加させてもよい。
【０１２８】
ここで、上記実施形態ではいずれも、吐出部に形成する強電界として、記録媒体への画像記録中のインク液滴非吐出時に前記吐出部に形成される電界よりも強い電界としたが、本発明は、これに限定されず、記録媒体が吐出ヘッドと対向する位置に搬送される前に、吐出部に強電界を形成することで、吐出部のインクを液動させることができ、吐出口でインクが固着することで発生するインクつまりを防止することができる。
【０１２９】
次に、本発明のインクジェット記録装置の具体的な一例を図１１を用いて説明する。
図１１は、本発明の静電式インクジェット記録装置の具体的な実施例の一例の概略全体構成を示す模式図である。
【０１３０】
同図に示すインクジェット記録装置（以下インクジェットプリンタ１００とする）１００は、記録媒体Ｐに片面４色印刷を行う装置で、記録媒体Ｐの搬送手段として、フィードローラ対１０２、ガイド１０４、ローラ１０６ａ，１０６ｂ，１０６ｃ、搬送ベルト１０８、搬送ベルト位置検知手段１０９、強電界発生手段１３、除電手段１１２、剥離手段１１４、定着・搬送手段１１６およびガイド１１８を有し、画像形成手段として、ヘッドユニット１２０、インク循環系１２２、ヘッドドライバ１２４、記録媒体位置検出手段１２６および記録位置制御手段１２８を有し、さらに、溶媒回収手段として、排出ファン１３０および溶媒回収装置１３２を有し、これらの構成要素を内包する筐体１０１を備える。
【０１３１】
まず、インクジェットプリンタ１００における、記録媒体Ｐの搬送手段について説明する。
フィードローラ対１０２は、筐体１０１の側面に設けられた搬入口１０１ａに隣接して設けられ、図示されないストッカから記録媒体Ｐを筐体１０１内に設けられた搬送ベルト１０８（ローラ１０６ａに支持される部分）に送り込む１対のローラからなる。ガイド１０４は、フィードローラ対１０２と搬送ベルト１０８を支持するローラ１０６ａとの間に設けられ、記録媒体Ｐを搬送ベルト１０８に案内する。
【０１３２】
フィードローラ対１０２の近傍には、図示しないが、記録媒体Ｐに付着した塵埃や紙粉等異物を除去する異物除去手段を設けるのが好ましい。異物除去手段としては、公知の吸引除去、吹き飛ばし除去、静電除去等の非接触法や、ブラシ、ローラ等による接触法によるものの１つあるいは複数を組み合わせて使用すればよい。また、フィードローラ対１０２を微粘着ローラで構成し、さらにフィードローラ対１０２のクリーナを設けて、フィードローラ対１０２による記録媒体Ｐのフィード時に塵埃・紙粉等の異物の除去を行っても良い。
【０１３３】
ローラ１０６ａ，１０６ｂ，１０６ｃは、搬送ベルト１０８を張架して移動させるものであり、ローラ１０６ａ，１０６ｂ，１０６ｃのうち少なくとも１つは、図示されない駆動源と連結されている。
搬送ベルト１０８は、ヘッドユニット１２０の吐出ヘッド１２０ａから吐出されるインクによって画像が形成される時に記録媒体Ｐを保持するプラテンとして機能し、記録媒体Ｐを移動するとともに、画像形成後、定着・搬送手段１１６まで搬送するためのものである。従って、搬送ベルト１０８としては、寸法安定性に優れ、耐久性を有する材料で形成される無端ベルトが用いられる。
【０１３４】
図示の本実施例においては、記録媒体Ｐは、静電吸着によって搬送ベルト１０８上に保持されるので、搬送ベルト１０８は、記録媒体Ｐを保持する側（表面）が絶縁性、ローラ１０６ａ，１０６ｂ，１０６ｃと接する側（裏面）が導電性を有する構成としている。具体的には、搬送ベルト１０８は、金属ベルトの表面側にフッ素樹脂コートを行ったものである。また、図示例においては、ローラ１０６ａは導電性ローラとされ、搬送ベルト１０８の裏面（金属面）は、ローラ１０６ａを介して接地されている。
【０１３５】
なお、搬送ベルト１０８は、公知の方法により蛇行が抑制されているのが好ましい。蛇行抑制の方法としては、例えば、ローラ１０６ｃをテンションローラとし、搬送ベルト位置検知手段１０９の出力、すなわち搬送ベルト１０８の幅方向の検知位置に応じて、ローラ１０６ｃの軸をローラ１０６ａおよびローラ１０６ｂの軸に対して傾けることにより、搬送ベルトの幅方向の両端でテンションを変えて蛇行を抑制する方法等が用いられる。また、ローラ１０６ａ、１０６ｂ、１０６ｃをテーパ形やクラウン形、あるいはその他の形状とすることで、蛇行を抑制してもよい。
【０１３６】
ここで、搬送ベルト位置検知手段１０９は、上述のように、搬送ベルトの蛇行などを抑制するとともに、画像記録時の記録媒体Ｐの副走査方向の位置を所定位置に規制するために、搬送ベルト１０８の幅方向の位置を検知するもので、フォトセンサ等の公知の検知手段が用いられる。
【０１３７】
強電界発生手段１３は、上述したように、帯電手段１４と、電圧制御部１５とを有する。
帯電手段１４は、上述したように、記録媒体Ｐに、ヘッドユニット１２０（の吐出ヘッド１２０ａ）に対する所定のバイアス電圧を印加すると共に、静電力により搬送ベルト１０８に吸着させて保持するために、記録媒体Ｐを所定の電位に帯電させ、さらに、搬送ベルト１０８の記録媒体Ｐの止着位置の搬送方向上流の所定部分を所定電位に帯電させるものである。
本実施例においては、帯電手段１４は、記録媒体Ｐを帯電させるスコロトロン帯電器４０と、スコロトロン帯電器４０に接続される負の高圧電源４２とを有する。記録媒体Ｐは、負の高圧電源４２に接続されたスコロトロン帯電器４０により、負の高電圧に帯電され、搬送ベルト１０８の絶縁層に静電吸着される。また、上述したように、帯電手段１４は、搬送ベルト１０８の記録媒体Ｐの止着位置の搬送方向上流の所定部分を、記録媒体Ｐよりも高い電位に帯電させる。
【０１３８】
また、帯電手段としては、上述したように、スコロトロン帯電器４０に限定されず、他にも、コロトロン帯電器、固体チャージャ、放電針等、種々の手段や方法が利用できる。また、上述の他の一例のように、帯電手段１４を、ローラ１０６ａ，１０６ｂ，１０６ｃの少なくとも１つを導電性ローラとし、あるいは、記録媒体Ｐへの記録位置において搬送ベルト１０８の裏面側（記録媒体Ｐと逆側）に導電性プラテンを配置し、この導電性ローラ、または導電性プラテンを負の高圧電源に接続する構成としても良いし、あるいは搬送ベルト１０８を絶縁性ベルトとし、導電性ローラは接地し、導電性プラテンを負の高圧電源に接続する構成としても良い。
【０１３９】
帯電手段１４は、搬送ベルト１０８の記録媒体Ｐの止着位置よりも搬送方向上流側の所定位置（強帯電部）を記録媒体Ｐよりも高電位に帯電させ、さらに、静電力によって記録媒体Ｐが浮き上がりの無い状態で搬送ベルト１０８に静電吸着した後、搬送ベルト１０８を駆動しながら、記録媒体Ｐ表面を均一帯電する。記録媒体Ｐを帯電する際の搬送ベルト１０８の搬送速度は、安定に帯電できる範囲であれば良く、画像記録時の搬送速度と同じでも良いし、異なっていても良い。また、記録媒体Ｐを複数回周回させることによって、同一の記録媒体Ｐに帯電手段を複数回作用させ、均一帯電を行っても良い。
【０１４０】
帯電手段１１０によって帯電された記録媒体Ｐおよび搬送ベルト１０８の強帯電部は、搬送ベルト１０８によって後述するヘッドユニット１２０の位置まで搬送される。上述のように、記録媒体Ｐの止着位置の搬送方向上流側の搬送ベルト１０８には強帯電部が形成されている。これにより、記録媒体Ｐがヘッドユニット１２０と対向する位置に搬送される前にヘッドユニット１２０と対向する位置を通過し、ヘッドユニット１２０の全吐出部をインクにぬれた状態にする。
ヘッドユニット１２０は上述の図２〜図５に示した吐出ヘッドを用いて、記録媒体Ｐに画像を記録する。ここで、吐出ヘッドは、記録媒体Ｐの帯電電位をバイアス電圧とし、吐出ヘッドの制御電極に記録信号電圧が印加し、バイアス電圧に駆動電圧が重畳し、インク液滴Ｒを吐出し、記録媒体Ｐに画像が形成するのは、前述の通りである。この際、搬送ベルト１０８の加熱手段を設け、記録媒体温度を高めることで、記録媒体Ｐ上におけるインク液滴Ｒの定着を促進することができ、滲みをより一層抑制して画質の向上を図ることができる。なお、ヘッドユニット１２０等による画像記録に関しては、後に詳述する。
【０１４１】
画像が形成された記録媒体Ｐは、除電手段１１２により除電され、剥離手段１１４により搬送ベルト１０８より剥離されて定着・搬送手段１１６へ搬送される。
本実施例において、除電手段１１２は、コロトロン除電器１１２ａと、交流電源１１２ｂと、直流高圧電源１１２ｃとを有し、直流高圧電源１１２ｃの他方の端子は、接地されている。図示例の除電手段１１２は、コロトロン除電器１１２ａおよび交流（ＡＣ）電源１１２ｂを用いる、いわゆるＡＣコロトロン除電器を使用しているが、これ以外にも、例えばスコロトロン除電器、固体チャージャ、放電針等の種々の手段や方法などが利用でき、また、上述の帯電手段１１０のように、導電性ローラや導電性プラテンを用いる構成も好適に使用される。また、剥離手段１１４としては、剥離用ブレード、逆回転ローラ、エアナイフ等公知の技術が利用可能である。
【０１４２】
搬送ベルト１０８から剥離された記録媒体Ｐは、定着・搬送手段１１６に送られ、インクジェットによって形成された画像が定着される。本実施例においては、定着・搬送手段１１６としてヒートローラ１１６ａおよび搬送ローラ１１６ｂからなるローラ対を用い、記録媒体Ｐを搬送すると共に、記録媒体Ｐに形成された画像を接触加熱して定着している。なお、本発明においては、定着手段を搬送ローラ対からなる搬送手段と別々に設け、他の定着手段や定着方法によって定着を行ってもよい。
【０１４３】
加熱定着としては、上述のヒートロール定着以外に、赤外線またはハロゲンランプやキセノンフラッシュランプによる照射、あるいはヒータを利用した熱風定着等の一般的な加熱定着を挙げることができる。
なお、加熱定着の場合、記録媒体Ｐとして、コート紙やラミネート紙を用いた場合には、急激な温度上昇により紙内部の水分が急激に蒸発し紙表面に凹凸が発生する、ブリスターと呼ばれる現象が生じるため、これを防止するために、複数の定着器を配置し、紙が徐々に昇温するように、各定着器の電力供給および記録媒体Ｐまでの距離の一方または両方を変えるのが好ましい。
【０１４４】
なお、少なくともヘッドユニット１２０による画像形成から、定着・搬送手段１１６による定着までの行程では、記録媒体Ｐの画像形成面には何も接触しないように保たれることが望ましい。
定着・搬送手段１１６における定着の際の記録媒体Ｐの移動速度には、特に制限的では無く、画像形成時の搬送ベルト１０８による搬送速度と同じであっても良いし、異なっていても良い。画像形成時の搬送速度と異なる場合には、定着・搬送手段１１６の直前に記録媒体Ｐの速度バッファを設けるのも好ましい。
画像が定着された記録媒体Ｐは、ガイド１１８に案内されて図示されない排紙ストッカに排紙される。
【０１４５】
次に、インクジェットプリンタ１００における画像形成（描画）手段および画像記録方法について説明する。
上述したように、インクジェットプリンタ１００の画像形成手段は、インクジェットを吐出するヘッドユニット１２０、ヘッドユニット１２０にインクの供給および回収を行うインク循環系１２２、図示されないコンピュータ、ＲＩＰ（Raster Image Processor）等の外部機器からの出力画像信号によりヘッドユニット１２０を駆動するヘッドドライバ１２４、記録媒体Ｐにおける画像形成（記録）位置を決定するために記録媒体Ｐを検出する記録媒体位置検出手段１２６、およびヘッドユニット１２０の位置を制御する記録位置制御手段１２８により構成される。
【０１４６】
図１１（Ｂ）は、ヘッドユニット１２０および記録位置制御手段１２８と、その周辺の記録媒体Ｐの搬送手段を模式的に示す斜視図である。
ヘッドユニット１２０は、フルカラー画像の記録を行うためのシアン（Ｃ）、マゼンタ（Ｍ）、イエロー（Ｙ）、黒（Ｋ）の４色の吐出ヘッド１２０ａを有し、ヘッドドライバ１２４からの信号に従って、インク循環系１２２によって供給されるインクをインク液滴として吐出して、搬送ベルト１０８によって所定速度で搬送されている記録媒体Ｐに画像を形成（記録）する。各色の吐出ヘッドは、搬送ベルト１０８の搬送方向に配列されている。なお、ヘッドユニット８０の各色の吐出ヘッド１２０ａは、上述した図２〜図５に示すインクジェットヘッドである。
【０１４７】
図示例において、各吐出ヘッド１２０ａは、吐出口９６が記録媒体Ｐの幅方向全域に配列されたラインヘッドであり、好ましくは、図３に示されるように、互いに千鳥状となるように配置された複数のノズル列を有するマルチチャンネルヘッドである。
従って、図示例においては、搬送ベルト１０８に記録媒体Ｐを保持させた状態で、ヘッドユニット１２０に対して記録媒体Ｐを搬送によって１回通過させるだけで、すなわち１回の走査搬送を行うのみで、記録媒体Ｐの全面に画像が形成される。従って、吐出ヘッドをシリアルスキャンする場合に比べて、高速での画像記録（描画）が可能となる。
【０１４８】
なお、本発明のインクジェットヘッドは、いわゆるシリアルヘッド（シャトルタイプ）にも利用可能であり、従って、記録装置１００も、この態様であってもよい。
この際においては、各インクジェットヘッドの吐出口９６の列（単列でもマルチチャンネルでもよい）を搬送ベルト１０８の搬送方向と一致させてヘッドユニット１２０を構成し、ヘッドユニット１２０を記録媒体Ｐの搬送方向と直交する方向に走査する走査手段を設ける。走査手段としては、既に知られた走査手段を用いることができる。
画像記録は、通常のシャトルタイプのインクジェットプリンタと同様に行えばよく、吐出口９６の列の長さに応じて、搬送ベルト１０８によって記録媒体Ｐを間欠的に搬送しつつ、この間欠搬送に同期して、停止時にヘッドユニット１２０を走査して、記録媒体Ｐの全面に画像を記録する。
このようにして、ヘッドユニット１２０によって記録媒体Ｐの全面に形成された画像は、前述のように、記録媒体Ｐが定着・搬送手段１１６によって挟持搬送されることにより、定着・搬送手段１１６によって定着される。
【０１４９】
ここで、吐出ヘッド１２０ａが対向する位置にあるときに強電界発生手段１３により吐出部に強い電界強度を与える搬送ベルト上の領域（以下、強電界形成領域１４０とする）について、図１２とともに説明する。ここで、本具体的実施形態では、強電界形成領域１４０は、スコロトロン帯電器により高電位に帯電される強帯電部である。
図１２（Ａ）〜図１２（Ｃ）は、搬送ベルト１０８上の強電界形成領域１４０の模式的に示す部分拡大図である。図１２（Ａ）〜図１２（Ｃ）中、記録媒体Ｐは、図中下方向から上方向に搬送される。また、図１２（Ｂ）および図１２（Ｃ）は、ヘッドユニット１２０（吐出ヘッド１２０ａ）がシリアルヘッドの場合であり、ヘッドユニット１２０は、図中左右方向に走査される。
【０１５０】
本実施形態のようなラインヘッドの場合は、図１２（Ａ）に示すように、強電界形成領域１４０を記録媒体Ｐの搬送方向上流に搬送ベルト２０の幅方向、すなわち搬送方向に直交する方向の長さと略同じ長さで設けることは上述した通りである。
【０１５１】
また、ヘッドユニットが上記のようなシリアルヘッドの場合は、上記例に限定されず、図１２（Ｂ）に示すように、搬送ベルト１０８上に、少なくともヘッドユニット１２０の幅以上の幅の強電界形成領域１４０を設けることで本発明の効果をえることができる。
さらに、シリアルヘッドの場合は、図１２（Ｃ）に示すように、強電界形成領域１４０を、搬送ベルト１０８の記録媒体Ｐの搬送方向と直交する方向の両方の端部に記録媒体Ｐの搬送方向に延設してもよい。
このように、強電界形成領域１４０を設けることで、吐出ヘッド１２０ａを記録媒体Ｐと直交する方向に走査させ、記録媒体Ｐへ画像を記録する際に、吐出ヘッド１２０ａを強電界形成領域１４０と対向する位置まで走査させることで、記録媒体Ｐへの画像記録時も、記録媒体Ｐおよび吐出ヘッド１２０ａが画像記録可能な位置へ相対移動される直前に、吐出ヘッド１２０ａの吐出部に強電界を形成することができ、吐出部の吐出特性を一定にすることができる。これにより、描画安定性をより向上させることができる。
【０１５２】
ここで、本発明は、少なくとも記録媒体Ｐに記録を行う前に、ヘッドユニット１２０の全吐出部に強電界を形成すればよく、ヘッドユニット１２０を強電界形成領域１４０と対向する位置に移動させ、ヘッドユニット１２０の吐出部に強電界を発生させる回数、頻度等は、特に限定されず、ヘッドユニット１２０を走査させる毎に強電界形成領域１４０と対向する位置に移動させても、所定回数ヘッドユニット１２０を走査させる毎に強電界形成領域１４０と対向する位置に移動させてもよい。
また、強電界形成領域１４０の長手方向の長さは、記録媒体Ｐと略同じ長さ、搬送ベルト１０８の全周等任意の長さとすることができる。
さらに、図６（Ｃ）に示した例では、強電界形成領域１４０を搬送ベルト１０８の搬送方向と直交する方向の両方の端部に設けたが、搬送ベルト１０８の搬送方向と直交する方向の端部に一方のみ設けてもよい。
【０１５３】
次に、インク循環系１２２は、ヘッドユニット１２０の各色の吐出ヘッド１２０ａのインク流路７８（図２参照）にインク吐出に十分なインクを流すためのもので、４色（Ｃ、Ｍ、Ｙ、Ｋ）の各色のインクタンク、ポンプおよび補給用インクタンク（図示せず）等を有するインク循環装置１２２ａと、インク循環装置１２２ａのインクタンクからヘッドユニット１２０の各色の吐出ヘッド１２０ａのインク流路７８（図２参照）にそれぞれ各色のインクを（図２中の右側から）供給する各色のインク配管系からなるインク供給路を含むインク供給系１２２ｂと、ヘッドユニット１２０の各色の吐出ヘッド１２０ａのインク流路７８（図２中の左側）からインクをインク循環装置１２２ａに回収する各色のインク配管系からなるインク回収路を含むインク回収系１２２ｃとを有する。
【０１５４】
インク循環系１２２は、インク循環装置１２２ａによって、インクタンクからインク供給系１２２ｂを介してヘッドユニット１２０に各色毎にインクを供給し、かつ、インク供給系１２２ｃを介してヘッドユニット１２０から各色毎にインクをインクタンクに回収して循環させることができればどのようなものでも良い。インクタンクは、画像記録用のインクを貯留しており、このインクがポンプにより汲み出されてヘッドユニット１２０へ送られる。ヘッドユニット１２０からインクが吐出されることにより、インク循環系８２で循環しているインクの濃度が低下するので、インク循環系８２では、インク濃度検出器によってインク濃度を検出し、検出したインク濃度に応じて補給用インクタンクから適宜インクを補充して、インク濃度を所定の範囲に保つのが望ましい。
【０１５５】
また、インクタンクには、インクの固形成分の沈殿・濃縮を抑制するための攪拌装置や、インクの温度変化を抑制するためのインク温度管理装置が備えられるのが好ましい。この理由は、温度管理をしないと、環境温度の変化等によりインク温度が変化して、インクの物性が変化することによりドット径が変化し、高画質な画像が安定して形成できなくなる可能性があるからである。
攪拌装置としては回転羽、超音波振動子、循環ポンプ等が使用できる。
インクの温度制御装置としてはヘッドユニット１２０、インクタンク、インク配管系等に、ヒータなどの発熱素子や発熱手段および／またはペルチェ素子等の発熱・吸熱素子および／または冷却器などの冷却手段などの温調素子や温調手段ならびにそのコントローラおよび温度センサを備え、温調素子や温調手段を温度センサによって検出されたインク濃度に応じてコントローラによって制御するものや、温調素子や温調手段を、温度センサとコントローラが一体化された、例えばサーモスタットにより制御するもの等、公知の温調ユニットが使用できる。温度制御装置をインクタンク内に配置する場合には、温度分布を一定にするように攪拌装置と共に配するのがよい。また、タンク内の濃度分布を一定に保つための攪拌装置は、インクの固形成分の沈澱・濃縮の抑制するための攪拌装置と共用しても良い。
【０１５６】
ヘッドドライバ１２４は、外部装置から画像データを受け取り、種々の処理を行うシステム制御部（図示せず）から画像データを受け取り、その画像データに基づいてヘッドユニット１２０を駆動する。このシステム制御部は、コンピュータやＲＩＰ、画像スキャナ、磁気ディスク装置、画橡データ伝送装置等の外部装置から受け取った画像データを色分解すると共に、分解されたデータに対して適当な画素数、階調数に分割演算し、スクリーニング処理、網点面積率の演算を行って、ヘッドドライバ１２４がヘッドユニット１２０（吐出ヘッド１２０ａ）を駆動するための、画像データに応じたヘッド駆動データである。
【０１５７】
また、システム制御部は、搬送ベルト１０８による記録媒体Ｐの搬送タイミングに合わせたヘッドユニット１２０（記録位置制御手段１２８）の移動、および、ヘッドユニット１２０によるインクの吐出タイミングの制御を行う。吐出タイミングの制御は、記録媒体位置検出手段１２６の出力や、搬送ベルト１０８または搬送ベルト１０８の駆動手段へ配置したエンコーダやフォトインタプリッタからの出力信号を利用して行われる。
記録媒体位置検出手段１２６は、ヘッドユニット１２０によるインク液滴の吐出位置に搬送されてくる記録媒体Ｐを検出するためのもので、フォトセンサ等の公知の検出手段を用いることができる。
【０１５８】
記録位置制御手段１２８は、ヘッドユニット１２０を載置・固定して、搬送ベルト１０８の幅方向に移動させ、記録媒体Ｐへの幅方向の画像形成位置を調整するものである。すなわち、記録位置制御手段１２８は、記録媒体Ｐの所定の位置に画像を形成するための微調整、および、ヘッドユニット１２０としてマルチチャンネルヘッドを用いた場合の副走査のために、搬送ベルト位置検知手段１０９が検知した搬送ベルト１０８の位置と、ヘッドドライバ１２４からの画像信号とに応じて、ヘッドユニット１２０を移動させるものである。
【０１５９】
次に、インクジェットプリンタ１００における溶媒回収手段について説明する。
インクジェットプリンタ１００は、溶媒回収手段として、排出ファン１３０および溶媒回収装置１３２を有し、ヘッドユニット１２０から記録媒体Ｐ上に吐出された色材粒子およびこれを分散させる分散溶媒を含むインク液滴から蒸発する、特にインク液滴によって形成された画像を定着する際に記録媒体Ｐから蒸発する分散溶媒を回収する。
排出ファン１３０は、インクジェットプリンタ１００の筐体１０１内部の空気を吸い込んで溶媒回収装置１３２へ送るためのものである。
溶媒回収装置１３２は、溶媒蒸気吸収材を備えており、排出ファン１３０によって吸い込まれた溶媒蒸気を含む気体の溶媒成分をこの溶媒蒸気吸収材に吸着し、溶媒が吸着回収された後の気体をインクジェットプリンタ１００の筐体１０１外に排出する。溶媒蒸気吸収材としては、各種の活性炭などが好適に使用される。
【０１６０】
上記では、Ｃ、Ｍ、Ｙ、Ｋの４色のインクを用いてカラー画像を記録する静電式インクジェット記録装置について説明したが、本発明はこれには制限されず、モノクロ用の記録装置であってもよいし、他の色、例えば淡色や特色のインクを任意の数だけ用いて記録するものであってもよい。その場合は、インク色数に対応する数のヘッドユニット１２０およびインク循環系１２２が用いられる。
【０１６１】
また、上記の例ではいずれも、インク中の色材粒子を正帯電させ、記録媒体あるいは記録媒体の背面の対向電極（導電性プラテン）を負の高電圧にして、吐出したインクジェットによって画像記録を行うインクジェット式記録装置について説明したが、本発明はこれには限定されず、逆に、インク中の色材粒子を負に帯電させ、記録媒体または対向電極を正の高電圧にして、インクジェットによる画像記録を行っても良い。このように、色材粒子の極性を上記の例と逆にする場合には、帯電手段、対向電極、静電式インクジェットヘッドの駆動電極への印加電圧極性等を上記の例と逆にすれば良い。
【０１６２】
また、本発明の静電式インクジェット記録装置は、帯電した色材成分を含むインクを吐出するものに限定されるものではなく、色材粒子を含む液体を吐出させる液体吐出ヘッドであれば特に制限されず、例えば、上記静電式インクジェット記録装置の他に、帯電粒子を利用して液滴を吐出して対象物を塗布する塗布装置に適用することができる。
【０１６３】
以上、本発明に係る静電式インクジェット記録装置および記録方法について、種々の実施例を挙げて詳細に説明したが、本発明は上記種々の実施例に限定されず、本発明の主旨を逸脱しない範囲において、種々の改良や変更をしてもよいのはもちろんである。例えば、帯電手段により
【図面の簡単な説明】
【０１６４】
【図１】本発明のインクジェット記録装置の概略構成を示す模式図である。
【図２】図１に示すインクジェット記録装置のインクジェットヘッドの一例の模式図である。
【図３】吐出ヘッド１６の吐出口基板７６に複数の吐出口８２が二次元的に配列されている様子を模式的に示した図である。
【図４】マルチチャンネル構造のインクジェットヘッドのガード電極の平面構造を模式的に示した図である。
【図５】（Ａ）は、図２のインクジェットヘッドにおける吐出部近傍の構成を示す部分断面斜視図であり、（Ｂ）は、インク誘導堰の形状寸法を説明する図である。
【図６】（Ａ）は、図１に示した強電界発生手段周辺の拡大図であり、（Ｂ）は、搬送ベルト位置と電圧制御部によりスコロトロン帯電器に印加されるグリット電圧との関係を示すグラフであり、（Ｃ）は、搬送ベルト位置と搬送ベルトに帯電される電位（搬送ベルト上電位）との関係を示すグラフであり、さらに、（Ｄ）は、電圧制御部によりスコロトロン帯電器に印加されるグリット電圧と時間の関係を示すグラフである。
【図７】本発明のインクジェット記録装置の他の一例の概略構成を示す模式図である。
【図８】（Ａ）は、図７に示した吐出ヘッド周辺の拡大図であり、（Ｂ）は、吐出ヘッドの搬送ベルト上の位置と電圧制御部によりベルトローラおよび導電層に印加される電圧との関係を示すグラフである。
【図９】本発明のインクジェット記録装置の他の一例の概略構成を示す模式図である。
【図１０】（Ａ）は、図９に示した吐出ヘッド周辺の拡大図であり、（Ｂ）は、搬送ベルトの位置と電圧制御部により導電性プラテンに印加される電圧との関係を示すグラフである。
【図１１】本発明のインクジェット記録装置の具体的一例の概念図である。
【図１２】（Ａ）〜（Ｃ）は、搬送ベルト上の強電界形成領域の例を模式的に示す部分拡大図である。
【図１３】従来のインクジェット記録装置のインクジェットヘッドの一例を示す概念図である。
【符号の説明】
【０１６５】
１０、５０、１００  インクジェット記録装置
１２、６２  搬送手段
１３、５１、６５  強電界発生手段
１４  帯電手段
１５、５２、６８  電圧制御手段
１６  吐出ヘッド
２０、６４  搬送ベルト
２２、２４  ベルトローラ
３０  絶縁層
３２  導電層
４０  スコロトロン帯電器
４２  高電圧源
６２  導電性プラテン
７２  ヘッド基板
７４  インクガイド
７４ａ  先端部分
７６  吐出口基板
７８  吐出電極
８０  ガード電極
８２  各吐出口
８４  インク流路
８６  絶縁基板
８８  絶縁層
９０  開口部
９２  制御部
９４  誘導堰
１０２  フィードローラ
１０４  ガイド
１０６ａ、１０６ｂ、１０６ｃ  ローラ
１０８  搬送ベルト
１０９  搬送ベルト位置検知手段
１００  帯電手段
１１２  除電手段
１１４  剥離手段
１１６  定着・搬送手段
１１８  ガイド
１２０  ヘッドユニット
１２０ａ  インクジェットヘッド
１２２  インク循環系
１２４  ヘッドドライバ
１２６  記録媒体位置検出手段
１２８  記録位置制御手段
１３０  排出ファン
１３２  溶媒回収装置
１４０  強電界形成領域
Ｐ  記録媒体
Ｑ  インク
Ｒ  インク液滴
【図１】
2006103230.tif 000003
【図２】
2006103230.tif 000004
【図３】
2006103230.tif 000005
【図４】
2006103230.tif 000006
【図５】
2006103230.tif 000007
【図６】
2006103230.tif 000008
【図７】
2006103230.tif 000009
【図８】
2006103230.tif 000010
【図９】
2006103230.tif 000011
【図１０】
2006103230.tif 000012
【図１１】
2006103230.tif 000013
【図１２】
2006103230.tif 000014
【図１３】
2006103230.tif 000015